(57)【要約】【課題】  どのような動作モードであっても、入力画像に対する処理結果が同レベルとなるように処理するデジタル複合機を提供する。【解決手段】  デジタル複合機は、スキャナ１１により読み取った画像をプリンタ１２により用紙にプリントするコピーモード、スキャナ１１により読み取った画像をネットワークインターフェース１４により外部装置へ送信するネットワークスキャンモード、および、スキャナ１１により読み取った画像をファクシミリインターフェース１３によりファクシミリ送信するファクシミリモードを有する。デジタル複合機は、スキャナ１１により読み取った画像を動作モードに応じて画像処理する各種の画像処理モジュール３２ａ、３２ｂ、３２ｃでの処理内容によらずに、同等な領域を原稿画像外の領域として画像データから消去する原稿外消去部３１を有する。デジタル複合機は、原稿画像外の領域が消去され、かつ、動作モードに対応した画像処理部で処理された画像データを用いて動作モードに対応した処理を行う。【選択図】図２
2009207148.tif 000002
【特許請求の範囲】
【請求項１】
画像処理装置であって、
原稿の画像を読取るスキャナと、
種々の動作モードに応じて画像データを処理する複数の処理部と、
前記スキャナにより読取った画像データを動作モードに応じた処理部で処理するための画像データに変換する複数の画像変換部と、
前記各画像変換部での画像変換処理の内容によらずに同等な領域を原稿画像外の領域として画像データから消去する原稿外消去部と、
前記原稿外消去部により原稿画像外の領域が消去され、かつ、ユーザが指定する動作モードに対応する画像変換部で処理された画像データを当該動作モードに応じた処理部へ供給する制御部と、を有する。
【請求項２】
前記請求項１に記載の画像処理装置であって、
前記スキャナは、見開き状態でセットされた本における見開きの２ページ分の画像を読み取り、
前記原稿外消去部は、前記見開きの両ページの境界線を中心する領域を原稿画像外の領域として消去し、前記原稿画像外の領域として消去する領域が前記各画像変換部での画像変換処理の内容によらずに同等となる。
【請求項３】
前記請求項２に記載の画像処理装置であって、
前記原稿画像外の領域として消去する前記境界線を中心する領域の幅は、前記各画像変換部での画像変換処理の内容によらずに同じとなる。
【請求項４】
前記請求項１に記載の画像処理装置であって、
前記動作モードには、コピーモードを含み、前記複数の処理部には、スキャナにより読み取った画像を用紙にプリントするプリンタを含む。
【請求項５】
前記請求項１に記載の画像処理装置であって、
前記動作モードには、ネットワークスキャナモードを含み、前記複数の処理部には、画像データをネットワーク経由で送信するネットワークインターフェースを含む。
【請求項６】
前記請求項１に記載の画像処理装置であって、
前記動作モードには、ファクシミリモードを含み、前記複数の処理部には、画像データをファクシミリ送信するファクシミリインターフェースを含む。
【請求項７】
前記請求項１に記載の画像処理装置であって、
前記原稿外消去部は、各画像変換部の前段に設けられ、入力される画像データから原稿画像外の領域を消去した画像データを各画像変換部へ供給する。
【請求項８】
前記請求項１に記載の画像処理装置であって、
前記原稿外消去部は、各画像変換部の後段に設けられ、各画像変換部における処理内容によらずに同様な領域を原稿画像外の領域として消去する基準値に基づいて、各画像変換部で変換処理された画像データから原稿画像外の領域を消去する。
【請求項９】
前記請求項８に記載の画像処理装置であって、
さらに、各画像変換部における処理内容によらずに同様な領域を原稿画像外の領域として消去する各動作モードごとの基準値を各動作モードに対応づけて記憶する記憶部を有し、
前記原稿外消去部は、前記記憶部に記憶されている動作モードに対応する基準値に基づいて、各画像変換部で変換処理された画像データから原稿画像外の領域を消去する。
【請求項１０】
前記請求項１に記載の画像処理装置であって、
前記画像変換部で変換処理された画像データを蓄積するページメモリを有し、
前記原稿外消去部は、前記ページメモリの後段に設けられ、各画像変換部における処理内容によらずに同様な領域を原稿画像外の領域として消去する基準値に基づいて、前記ページメモリから読み出した画像データから原稿画像外の領域を消去する。
【請求項１１】
前記請求項１０に記載の画像処理装置であって、
さらに、各画像変換部における処理内容によらずに同様な領域を原稿画像外の領域として消去する各動作モードごとの基準値を各動作モードに対応づけて記憶する記憶部を有し、
前記原稿外消去部は、前記記憶部に記憶されている動作モードに対応する基準値に基づいて、前記ページメモリから読み出した画像データにおける原稿画像外の領域を消去する。
【請求項１２】
前記請求項１に記載の画像処理装置であって、
原稿画像外の領域を検出するための強度をユーザが指定する設定画面を表示する表示部を有し、
前記原稿外消去部は、前記設定画面においてユーザにより指定された強度で検出される原稿画像外の領域が前記各画像変換部での画像変換処理の内容によらずに同等な領域となるように、画像データにおける原稿画像外の領域を検出し、前記画像データから前記検出した原稿画像外の領域を消去する。
【請求項１３】
前記請求項１２に記載の画像処理装置であって、
前記表示部は、原稿画像外の領域を検出するための強度を複数段階からユーザが指定する設定画面を表示する。
【請求項１４】
前記請求項１２に記載の画像処理装置であって、
前記表示部は、ユーザが指定する強度で消去される原稿画像外の領域を示す画像を表示する。
【請求項１５】
前記請求項１に記載の画像処理装置であって、
前記処理部による処理の前に、前記原稿外消去部により原稿画像外の領域が消去された画像を表示する表示部を有し、
前記制御部は、前記表示部に表示された内容がユーザによって確認された場合、前記画像データを当該動作モードに応じた処理部へ供給する。
【請求項１６】
画像処理方法であって、
画像データを取得し、
前記取得した画像データをユーザが指定した動作モードに応じた画像データに変換し、
各種の動作モードに応じた画像データの変換処理の内容によらずに同等な領域を原稿画像外の領域として消去する原稿外消去処理により前記取得した画像データから原稿画像外の領域を消去し、
前記原稿画像外の領域が消去され、かつ、ユーザが指定する動作モードに応じた画像データに変換された画像データを用いて、前記動作モードに応じた処理を行う。
【請求項１７】
前記請求項１６に記載の画像処理方法であって、
前記取得する画像データは、見開き状態でセットされた本における見開きの２ページ分の画像をスキャナにより読み取った画像であり、
前記原稿外消去処理は、前記見開きの両ページの境界線を中心する領域を原稿画像外の領域として消去する処理である。
【請求項１８】
前記請求項１７に記載の画像処理方法であって、
前記原稿外消去処理は、前記原稿画像外の領域として消去する前記境界線を中心する領域の幅が、画像変換処理の内容によらずに同じとなる処理である。
【請求項１９】
前記請求項１６に記載の画像処理方法であって、
前記原稿画像外の領域を消去することは、前記ユーザが指定した動作モードに応じた画像データに変換する前に、前記取得した画像データに対して実行し、
前記ユーザが指定した動作モードに応じた画像データに変換することは、前記取得した画像データから原稿画像外の領域を消去した画像データに対して実行する。
【請求項２０】
前記請求項１６に記載の画像処理方法であって、
前記原稿画像外の領域を消去することは、各種の動作モードに応じた画像データの変換処理の内容によらずに同等な領域を原稿画像外の領域として消去するための各動作モードに対応する基準値のうち、前記ユーザが指定した動作モードに対応する基準値に基づいて、前記動作モードに応じた画像データに変換した後の画像データに対して実行する。
【請求項２１】
前記請求項１６に記載の画像処理方法であって、
さらに、前記取得した画像データを前記動作モードに応じた画像データに変換した画像データをページメモリに蓄積し、
前記原稿画像外の領域を消去することは、各種の動作モードに応じた画像データの変換処理の内容によらずに同等な領域を原稿画像外の領域として消去するための各動作モードに対応する基準値のうち前記ユーザが指定した動作モードに対応する基準値に基づいて、前記ページメモリから読み出した画像データに対して実行する。
【請求項２２】
前記請求項１６に記載の画像処理方法であって、
さらに、原稿画像外の領域を検出するための強度をユーザが指定する設定画面を表示し、
前記原稿画像外の領域を消去することは、前記設定画面においてユーザが指定した強度で検出される原稿画像外の領域が前記各画像変換部での画像変換処理の内容によらずに同等な領域となるように、前記取得した画像データにおける原稿画像外の領域を検出し、前記画像データから前記検出した原稿画像外の領域を消去する。
【請求項２３】
前記請求項２２に記載の画像処理方法であって、
前記設定画面には、ユーザが指定する強度で消去される原稿画像外の領域を示す画像を表示する。
【請求項２４】
前記請求項１６に記載の画像処理方法であって、
前記動作モードに応じた処理の前に、前記原稿画像外の領域が消去された画像を表示し、
前記動作モードに応じた処理は、前記表示された画像がユーザによって確認された場合に実行する。
【発明の詳細な説明】
【技術分野】
【０００１】
この発明は、たとえば、スキャナ、プリンタ、ネットワークインターフェース、ファクシミリインターフェース等の処理ユニットを有するデジタル複合機などの画像処理装置および画像処理方法に関する。
【背景技術】
【０００２】
従来のデジタル複合機は、画像読取装置（スキャナ）、画像形成装置（プリンタ）、ネットワーク通信部（ネットワークインターフェース）、ファクシミリ通信部（ファクシミリインターフェース）などを有する。このようなハードウエアを具備するデジタル複合機では、原稿上の画像を用紙にコピーしたり、画像データをネットワーク送信したり、あるいは、画像データをファクシミリ電送したりする。上記デジタル複合機は、スキャナにより読み取った画像などの入力画像データを処理する画像処理装置として機能する。上記デジタル複合機は、スキャナにより読み取った画像に対する画像処理機能として、原稿画像外の不要領域（黒色の画像部分）を消去する原稿外消去機能がある。原稿外消去機能は、たとえば、スキャナが原稿カバーをオープンした状態で原稿を読み取った画像データに対して有効である。「U.S.Patent.5629777」（特許文献１）には、モノクロのデジタル複合機において、原稿カバーをオープンした状態で読取った原稿の画像データから原稿外の領域を消去する技術が記載されている。特許文献１に記載の手法は、スキャナで読取ったモノクロの画像データにおける各画素の濃度値が原稿外の画素の濃度値らしいか否かを判定する。上記特許文献１に記載の手法では、上記のような判定結果に基づいて読取画像データにおける原稿外の領域を検出し、原稿外と判定された領域の画像を消去する。
【０００３】
しかしながら、特許文献１に記載の手法では、原稿の読取画像における各画素の濃度値と閾値とを単純に比較する。このため、特許文献１に記載の手法では、原稿内の画像データにおいて濃度値が大きい画素が密集している領域を誤って原稿外の領域と判定してしまうことがある。さらに、近年では、カラーのデジタル複合機（カラーＭＦＰ）の普及が大きく進んでいる。カラーのデジタル複合機では、原稿の画像をカラー画像として読取る。このようなカラーのデジタル複合機では、原稿の読み取り画像としてのカラー画像データから原稿外の領域とそれ以外の領域とを分別することも必要である。
【先行技術文献】
【特許文献】
【０００４】
【特許文献１】米国特許第５６２９７７７号明細書
【発明の概要】
【発明が解決しようとする課題】
【０００５】
この発明の一形態は、どのような動作モードであっても、入力画像に対する処理結果が同レベルとなるように処理する画像処理装置および画像処理方法を提供することを目的とする。
【課題を解決するための手段】
【０００６】
この発明の一形態としての画像処理装置は、原稿の画像を読取るスキャナと、種々の動作モードに応じて画像データを処理する複数の処理部と、前記スキャナにより読取った画像データを動作モードに応じた処理部で処理するための画像データに変換する複数の画像変換部と、前記各画像変換部での画像変換処理の内容によらずに同等な領域を原稿画像外の領域として画像データから消去する原稿外消去部と、前記原稿外消去部により原稿画像外の領域が消去され、かつ、ユーザが指定する動作モードに対応する画像変換部で処理された画像データを当該動作モードに応じた処理部へ供給する制御部とを有する。
【０００７】
この発明の一形態としての画像処理方法は、画像データを取得し、前記取得した画像データをユーザが指定した動作モードに応じた画像データに変換し、各種の動作モードに応じた画像データの変換処理の内容によらずに同等な領域を原稿画像外の領域として消去する原稿外消去処理により前記取得した画像データから原稿画像外の領域を消去し、前記原稿画像外の領域が消去され、かつ、ユーザが指定する動作モードに応じた画像データに変換された画像データを用いて、前記動作モードに応じた処理を行う。
【発明の効果】
【０００８】
この発明の一形態によれば、どのような動作モードであっても、入力画像に対する処理結果が同レベルとなるように処理する画像処理装置および画像処理方法を提供できる。
【図面の簡単な説明】
【０００９】
【図１】図１は、デジタル複合機の外観構成を概略的に示す図である。
【図２】図２は、第１の構成例に係るデジタル複合機を示すブロック図である。
【図３】図３（ａ）は、原稿カバーを開放した状態で読取った画像の例である。図３（ｂ）は、図３（ａ）に示す画像から原稿外と判定される領域を消去した画像の例である。
【図４】図４（ａ）は、原稿カバーを開放した状態で、見開きの本をガラス台上に載置した様子を示す図である。図４（ｂ）は、図４（ａ）に示すように見開き状態で載置された本を読取った画像の例を示す図である。図４（ｃ）は、図４（ｂ）に示す画像から原稿外と判定される領域を消去した画像の例である。
【図５】図５は、原稿外消去部における構成例を示す図である。
【図６】図６は、モノクロ化モジュールにおける入出力信号の内容を示す図である。
【図７】図７は、２値化モジュールにおける入出力信号の内容を示す図である。
【図８】図８は、原稿外消去モジュールにおける入出力信号の内容を示す図である。
【図９】図９は、第１の構成例のデジタル複合機における処理の流れを説明するためのフローチャートである。
【図１０】図１０は、デジタル複合機の第２の構成例を示すブロック図である。
【図１１】図１１は、第２の構成例のデジタル複合機における原稿外消去部の構成を示す図である。
【図１２】図１２は、第２の構成例のデジタル複合機における各動作モード用の２値化閾値の設定例を示す図である。
【図１３】図１３は、第２の構成例のデジタル複合機における処理の流れを説明するためのフローチャートである。
【図１４】図１４は、デジタル複合機の第３の構成例を示すブロック図である。
【図１５】図１５は、第３の構成例のデジタル複合機における処理の流れを説明するためのフローチャートである。
【図１６】図１６は、操作部としての操作パネルの全体構成を示す外観図である。
【図１７】図１７は、原稿外を判定する強度をユーザが指定するための設定画面の例である。
【図１８】図１８は、原稿外消去処理により消去される原稿外の領域を示す画像を表示するプレビュー画面を有する設定画面の例である。
【発明を実施するための形態】
【００１０】
以下、この発明の実施の形態について図面を参照して詳細に説明する。  
以下、図面を参照しつつ実施の形態について説明する。  
図１は、デジタル複合機１の全体構成例を概略的に示す模式図である。  
図１に示すデジタル複合機１は、コピー機、スキャナ、プリンタ、ファクシミリ、あるいは、ネットワーク通信機として機能する画像処理装置である。図１に示す構成例では、デジタル複合機１は、主制御部１０、スキャナ１１、プリンタ１２、ファクシミリ通信部（ＦＡＸ部）１３、ネットワーク通信部（ＮＷ部）１４、および、操作部１５を有する。
【００１１】
上記主制御部１０は、デジタル複合機１全体を制御する。すなわち、上記主制御部１０は、操作部１５においてユーザから操作指示を受け付け、スキャナ１１、プリンタ１２、ファクシミリ通信部１３、ネットワーク通信部１４および操作部１５を制御する。また、上記主制御部１０は、画像データを処理する画像処理部などを有する。
【００１２】
上記スキャナ１１は、記録媒体（原稿）上の画像を読み取る。上記スキャナ１１は、図示しない走査ユニット、原稿載置台としてのガラス台１１ａ、原稿載置台を覆う原稿カバー１１ｂ、および、原稿カバーの開閉状態を検知する開閉検知器１１ｃを有している。  
上記走査ユニットは、ガラス台１１ａの下方に設けられている。上記走査ユニットは、ガラス台１１ａ上にセットされた原稿の画像を画像データに変換する。上記走査ユニットは、読取った画像データを主制御部１０へ供給する。たとえば、上記走査ユニットは、駆動機構、ＣＣＤラインセンサおよび信号処理部（何れも図示しない）を有している。上記走査ユニットは、駆動機構によりガラス台の下方を副走査方向に移動する。上記走査ユニットは、副走査方向に移動しつつ、ガラス台上の原稿の画像をＣＣＤラインセンサにより読取る。上記ＣＣＤラインセンサは、原稿に対する主走査方向に並べられた複数のＣＣＤセンサにより構成される。上記ＣＣＤラインセンサは、原稿からの反射光をアナログの画像信号に変換する。上記信号処理部は、上記ＣＣＤラインセンサが読取ったアナログの画像信号をデジタルの画像信号に変換する。
【００１３】
なお、本実施の形態では、上記スキャナ１１は、原稿の画像を赤（Ｒ）、緑（Ｇ）、および、青（Ｂ）信号の値（原色系の画素値）からなるカラー画像データとして読取るものとする。また、本実施の形態では、上記スキャナ１１が読取った画像データの各画素（各画素の色）は、Ｒの濃度値（以下、単にＲと記述する）、Ｇの濃度値（以下、単にＧと記述する）、および、Ｂの濃度値（以下、単にＢと記述する）で表現されるものとする。
【００１４】
また、上記ガラス台１１ａは、読取対象とする原稿を保持する原稿載置台として機能する。上記原稿カバー１１ｂは、ユーザが開閉できるように構成される。上記原稿カバー１１ｂは、閉じられた状態において、ガラス台１１ａ全体を覆う。上記原稿カバー１１ｂは、上記ガラス台１１ａに載置された原稿に対する押さえ部材としても機能する。上記原稿カバー１１ｂの開閉状態は、開閉検知器１１ｃが検知する。なお、原稿カバー１１ｂとしては、原稿を１つずつ供給するオートドキュメントフィーダ（ＡＤＦ）が用いられることもある。
【００１５】
上記原稿カバー１１ｂは、たとえば、ガラス台１１ａ側の面が白色で構成される。このため、上記原稿カバー１１ｂが閉じられた状態であれば、上記走査ユニットのＣＣＤラインセンサは、原稿外の領域（つまり、原稿カバーの白色の面）から最小濃度値（最大輝度）の反射光が得られる。従って、原稿カバーが閉じられた状態において、上記走査ユニットのＣＣＤラインセンサは、原稿外の領域を濃度値が「最小」（輝度値が「最大」）となる画像として読取る。つまり、上記原稿カバーが閉じられた状態において、上記走査ユニットは、原稿外の領域を白色として読取る。
【００１６】
これに対して、上記原稿カバー１１ｂが開放された状態であれば、上記走査ユニットのＣＣＤラインセンサは、原稿外の領域からは反射光（原稿からの反射光）が得られない。従って、上記原稿カバー１１ｂが開放された状態において、上記走査ユニットは、ガラス台上における原稿外の領域を黒色として読取る。つまり、上記原稿カバー１１ｂが開放された状態において、上記走査ユニットは、原稿外の領域を濃度値が「最大」（輝度値が「最小））となる黒色の画像として読取る。
【００１７】
上記プリンタ１２は、プリント用の画像を被画像形成媒体に形成する。たとえば、コピー処理を行う場合、主制御部１０は、上記スキャナ１１が読み取った原稿の画像をプリント用の画像データに変換する。プリンタ１２は、主制御部１０によりプリント用に処理された原稿の画像データをコピー用紙にプリントする。なお、上記プリンタ１２としては、任意の画像形成方式のプリンタが適用できる。たとえば、上記プリンタ１２は、レーザプリンタであっても良いし、インクジェットプリンタであっても良い。
【００１８】
上記ファクシミリ通信部（ＦＡＸ部）１３は、ファクシミリデータとしての画像データの送受信を行うインタフェースである。上記ＦＡＸ部１３は、電話回線に接続される。上記ＦＡＸ部１３は、ファクシミリ電送方式により電話回線を介して画像データを送受信する。ただし、本実施の形態では、上記デジタル複合機１のＦＡＸ部１３は、モノクロの画像データを送受信するものとする。たとえば、原稿の画像をファクシミリ送信する場合、主制御部１０は、上記スキャナ１１が読み取った原稿の画像をファクシミリ電送用の画像データに変換する。上記ＦＡＸ部１３は、主制御部１０の制御によりファクシミリ送信用の画像データを操作部１５などで指定される宛先の電話番号にファクシミリ電送する。
【００１９】
上記ネットワーク通信部（ＮＷ部）１４は、ＬＡＮなどのネットワーク通信を行うためのインターフェースである。上記ＮＷ部１３は、通信回線あるいは無線通信により形成されるネットワークに接続する。たとえば、当該デジタル複合機１がネットワークスキャナとして利用される場合、主制御部１０は、上記スキャナ１１が読み取った原稿の画像を指定された形式のスキャン画像データに変換する。上記ＮＷ部１４は、主制御部１０により処理されたスキャン画像データを操作部１５などで指定されるネットワーク上の宛先の機器（たとえば、ユーザ端末）へ送信する。
【００２０】
上記操作部１５は、ユーザが操作指示を入力したり、ユーザに対して案内を表示したりするものである。上記操作部１５は、表示装置および操作キーなどにより構成される。たとえば、上記操作部１５は、タッチパネル内蔵の液晶表示装置とテンキーなどのハードキーとを有する。
【００２１】
次に、デジタル複合機の第１の構成例について説明する。  
図２は、デジタル複合機１および主制御部１０の第１の構成例を示すブロック図である。  
図２に示すように、上記主制御部１０は、ＣＰＵ２１、メインメモリ２２、ＨＤＤ２３、スキャナ系の画像処理部（入力画像処理部）２４、ページメモリ２５、および、プリンタ系の画像処理部（出力画像処理部）２６などを有する。  
上記ＣＰＵ２１は、当該デジタル複合機１全体の制御を司るものである。上記ＣＰＵ２１は、たとえば、図示しないプログラムメモリに記憶されているプログラムを実行することにより、種々の機能を実現する。上記メインメモリ２２は、作業用のデータなどが格納されるメモリである。上記ＣＰＵ２１は、メインメモリ２２を使用して種々のプログラムを実行することにより種々の処理を実現する。
【００２２】
たとえば、上記ＣＰＵ２１は、コピー制御用のプログラムに従って上記スキャナ１１および上記プリンタ１２を制御することにより、コピー制御を実現する。すなわち、デジタル複合機１は、上記ＣＰＵ２１がコピー制御用のプログラムを実行することによりコピー機として機能する。また、上記ＣＰＵ２１は、ファクシミリ制御用のプログラムを従って上記スキャナ１１および上記ファクシミリ通信部１３を制御することにより、ファクシミリ機能を実現する。すなわち、デジタル複合機１は、上記ＣＰＵ２１がファクシミリ制御用のプログラムを実行することによりファクシミリ装置として機能する。また、上記ＣＰＵ２１は、ネットワークスキャン制御用のプログラムを従って上記スキャナ１１および上記ネットワーク通信部１４を制御することにより、ネットワークスキャン処理を実現する。すなわち、上記デジタル複合機１は、上記ＣＰＵ２１がネットワークスキャン制御用のプログラムを実行することにより、ネットワークスキャナとして機能する。
【００２３】
上記ＨＤＤ（ハードディスクドライブ）２３は、不揮発性の大容量のメモリである。たとえば、上記ＨＤＤ２３は、画像データを保存する。また、上記ＨＤＤ２３は、各種の処理における設定値（デフォルト設定値）を記憶する。さらに、上記ＨＤＤ２３には、上記ＣＰＵ２１が実行するプログラムを記憶するようにしても良い。
【００２４】
上記入力画像処理部２４は、入力画像を処理する。図２に示す第１の構成例では、スキャナ１１が読み取った画像を入力画像として処理するスキャナ系の画像処理部として機能する。上記入力画像処理部２４は、当該デジタル複合機の動作モードに応じて上記スキャナ１１により読み取った画像データを処理する。上記ＣＰＵ２１は、上記入力画像処理部２４に対して動作モードに応じた処理内容を指示する。
【００２５】
なお、上記入力画像処理部２４としての種々の画像処理は、上記ＣＰＵ２１が画像処理用のプログラムを実行することにより実現するようにしても良い。また、入力画像処理部２４に入力される画像は、スキャナ１１から入力される画像データに限定されない。たとえば、入力画像処理部２４は、ＮＷ部１４によりネットワーク経由で受信する画像データ、あるいは、ＦＡＸ部１３によりファクシミリ通信で受信する画像データを入力画像として処理するようにしても良い。
【００２６】
上記ページメモリ２５は、処理対象とする画像データを記憶するメモリである。たとえば、上記ページメモリ２５は、１ページ分のカラー画像データを格納する。上記ページメモリ２５は、図示しないページメモリ制御部により制御される。図２に示す構成例では、上記ページメモリ２５は、上記入力画像処理部２４により処理された処理結果としての画像データを格納する。
【００２７】
上記出力画像処理部２６は、出力画像を処理する。図２に示す構成例では、出力画像処理部２６は、プリンタ１２が用紙にプリントする画像データを生成するプリンタ系の画像処理部として機能する。たとえば、上記出力画像処理部２６は、上記ページメモリ２５に格納されている画像データをプリント用の画像データに変換する。なお、上記出力画像処理部２６としての種々の画像処理は、上記ＣＰＵ２１が画像処理用のプログラムを実行することにより実現するようにしても良い。
【００２８】
また、上記入力画像処理部２４は、原稿外消去部３１、および、種々の画像処理モジュール３２ａ、３２ｂ、３２ｃを有する。  
上記原稿外消去部３１は、画像データにおける原稿画像以外の画像領域を消去（白色の画像に変換）する。図２に示す構成例では、上記原稿外消去部３１は、スキャナ１１が読取った画像データにおける原稿外の領域を検知し、検知した原稿外の領域を消去した画像データを出力する。上記原稿外消去部３１の構成及び動作については、後で詳細に説明するものとする。
【００２９】
各画像処理モジュール３２ａ、３２ｂ、３２ｃは、当該デジタル複合機１における種々の動作モードに対応する画像変換部として機能する。各画像処理モジュール３２ａ、３２ｂ、３２ｃは、それぞれ動作モードに応じた処理内容で入力画像データを処理（変換）する。たとえば、コピー用画像処理部（モジュール）３２ａは、当該デジタル複合機１の動作モードとしてのコピーモードに対応する画像変換部である。ＮＷ用画像処理部（モジュール）３２ｂは、当該デジタル複合機１の動作モードとしてのネットワークスキャナモードに対応する画像変換部である。ＦＡＸ用画像処理部（モジュール）３２ｃは、当該デジタル複合機１の動作モードとしてのファクシミリモードに対応する画像変換部である。
【００３０】
図２に示す第１の構成例では、デジタル複合機１がコピーモードである場合、上記入力画像処理部２４において、コピー用画像処理モジュール３２ａは、原稿外消去部３１から供給される画像データをコピー用（プリント用）の画像データに変換する。また、デジタル複合機１がネットワークスキャンモードである場合、上記入力画像処理部２４において、ＮＷ用画像処理モジュール３２ｂは、原稿外消去部３１から供給される画像データをネットワーク用の画像データ（ネットワークを介して外部装置へ送信するスキャン結果としての画像データ）に変換する。また、デジタル複合機１がファクシミリモードである場合、上記入力画像処理部２４において、ＦＡＸ用画像処理モジュール３２ｃは、原稿外消去部３１から供給される画像データをファクシミリ用の画像データ（ファクシミリ回線を介して外部装置へ送信するファクシミリデータ）に変換する。
【００３１】
上記コピー用画像処理モジュール３２ａは、たとえば、シェーディング補正、階調変換、ライン間補正、色変換、圧縮などの画像処理機能を有する。シェーディング補正は、スキャナ１１における各光電変換素子の感度ばらつき、あるいは、原稿を照明するためのランプ（図示しない）の配光特性に応じて画像データを補正する処理である。階調変換は、画像データを構成する各画素の値（たとえば、Ｒ、Ｇ、Ｂの各信号の値）を図示しないルックアップテーブル（ＬＵＴ）に従って変換する処理である。ライン間補正は、スキャナ１１におけるＲ、Ｇ、Ｂの各ＣＣＤセンサの物理的な位置ずれを補正する処理である。色変換は、Ｒ、Ｇ、Ｂの画素信号からなる画像データをＣ、Ｍ、Ｙの画素信号からなる画像データ（プリント用の画像データ）に変換する処理である。なお、色変換とともに、プリンタの特性に応じた処理としてフィルタ処理、ガンマ補正あるいは階調補正などを行うようにしても良い。また、圧縮は、画像データを符号化する処理である。
【００３２】
次に、上記原稿外消去部３１における原稿外消去処理について詳細に説明する。  
図３（ａ）は、原稿カバー１１ｂを開放した状態でガラス台１１ａ上にセットした原稿を読取った画像の例を示す図である。図３（ｂ）は、図３（ａ）に示す読取画像から原稿外の黒色の画像を消去した画像である。図３（ｂ）に示す画像では、原稿外の黒色の画像のみが消去されている。図３（ａ）に示すような画像を図３（ｂ）に示すような画像に変換することが、原稿外消去処理である。
【００３３】
図４（ａ）は、原稿カバー１１ｂを開放した状態で、見開き状態の本Ｂをガラス台１１ａ上に載置した様子を示す図である。図４（ｂ）は、図４（ａ）に示すように、ガラス台１１ａ上に見開き状態で載置された本Ｂを読取った画像の例を示す図である。図４（ｂ）に示す画像は、原稿外の黒色の画像領域と原稿画像の領域とを含んでいる。さらに、図４（ｂ）に示す画像には、左右方向に対する中央線付近（見開きの２ページの境界線を含む領域）に黒色に近い（濃度値が高い）画素の領域（以下、中央の高濃度領域とも称する）が含まれている。一般には、図４（ｂ）に示すような読取画像における中央の高濃度領域は、ページの境界線としての中央線が最も濃く、中央線から離れると薄くなる。これは、開いた状態の本をガラス台１１ａに置くと、通常、本の中央線（ページの境界線）部分が最もガラス台１１ａから離れる（浮いてしまう）ためである。
【００３４】
図４（ｃ）は、図４（ｂ）に示す画像データに対して原稿外消去処理を行った画像の例を示す図である。図４（ｃ）に示す画像は、図４（ｂ）に示す画像データから判定基準となる濃度値以上の画素からなる領域を消去した画像である。図４（ｃ）に示す画像では、原稿外消去処理によって、図４（ｂ）に示す原稿外の黒色の画像領域と、原稿画像内における中央の高濃度領域とが消去されている。ただし、上記中央の高濃度領域は、濃度値が一定でない。中央の高濃度領域に対する原稿外消去処理では、原稿外と判定するための基準値（強度）が変動すれば、原稿外と判定する領域も変化する。従って、デジタル複合機１では、原稿外の領域を判定するためのレベル（強度）を一義的に設定するのが難しい。このため、デジタル複合機１では、原稿外の領域と判定するためのレベル（強度）を示す基準値がユーザによる指示に応じて調整（設定）されるようになっている。
【００３５】
次に、上記原稿外消去部３１の構成について説明する。  
図５は、原稿外消去部３１の構成例を示す図である。  
図５に示す構成例では、原稿外消去部３１は、モノクロ変換部４１、原稿外検出部４２、消去部４３を有している。  
上記モノクロ変換部４１は、入力画像を２値のモノクロ画像データに変換する。上記モノクロ変換部４１は、モノクロ化モジュール５１および２値化モジュール５２により構成される。上記モノクロ化モジュール５１は、入力画像データをモノクロ化するモジュールである。上記スキャナ１１からＲ、Ｇ、Ｂ信号の値（Ｒ、Ｇ、Ｂ）からなる画素で構成されるカラー画像データが供給された場合、上記モノクロ化モジュール５１は、カラー画像データを構成する各カラー画素をモノクロ化する。たとえば、上記モノクロ化モジュール５１は、以下の式（Ａ１）によりＲ、Ｇ、Ｂの画素値を有するカラー画素をモノクロ化の画素値（ＢＫ）に変換する。  
ＢＫ＝α×Ｒ＋β×Ｇ＋γ×Ｂ  …  （Ａ１）
なお、式（Ａ１）におけるα、β、γは、「０≦α、β、γ≦１  …  （Ｂ１）」の条件（Ｂ１）を満たす係数である。たとえば、上記モノクロ化モジュール５１は、ＢＫ＝（Ｒ＋Ｇ＋Ｂ）／３によりカラー画素値からモノクロの画素値（ＢＫ）を算出することが考えられる。この場合、各係数α、β、γは、それぞれ「０．３３３…」である。ただし、上記係数α、β、γは、原稿内における黒色の画像（以下、原稿内の黒画像とも称する）と、原稿カバー開放状態における原稿外の画像としての黒色の画像（以下、原稿外の黒画像とも称する）と、が分離しやすくなるような値が好ましい。
【００３６】
原稿外の黒画像は、ＣＣＤセンサに原稿からの反射光が入射していない状態である。このため、原稿外の黒画像では、各カラー画素のＲ、Ｇ、Ｂ信号は、全て最大濃度値に近い値となることが予想される。これに対して、原稿内の黒画像では、各カラー画素のＲＧＢ信号は、原稿全体の特徴に応じた傾向があると予想される。このような特性に応じた係数α、β、γを設定するのが、原稿外の黒画像とそれ以外の画像とを高精度で分離するためには、好ましい。
【００３７】
たとえば、原稿内の黒画像ではＲ信号の濃度値が大きくなる傾向がある場合、係数αの値を係数β、γに比べて相対的に小さい値に設定すると、原稿内の黒画像におけるＢＫ値は、Ｒ、Ｇ、Ｂの各信号の単純な平均値よりも小さい濃度値となる。この結果として、原稿内の黒画像と原稿外の黒画像とは、分離し易くなる。
【００３８】
上記２値化モジュール５２は、モノクロ化モジュール５１によりモノクロ化した各画素を２値化する。２値化モジュール５２は、原稿外の黒画像とそれ以外の領域の画像とを分離するための閾値（ＣＰＵから与えられる基準値）によってＢＫ値を２値化する。たとえば、上記２値化モジュール５２は、ＢＫ値が閾値以上の画素を「１」に変換し、ＢＫ値が閾値未満の画素を「０」に変換する。この場合、上記２値化モジュール５２では、ＢＫ値が閾値以上の画素を原稿外の黒画像らしいと判別し、ＢＫ値が閾値未満の画素を原稿外の黒画像以外らしい画素であると判別する。
【００３９】
また、上記原稿外検出部４２は、各画素が原稿外の画像を構成する画素か否かを判定する。上記原稿外検出部４２は、原稿外判定モジュール５３および補正モジュール５４を有している。  
上記原稿外判定モジュール５３は、上記２値化モジュールにより２値化された画素値により当該画素が原稿外の画素か否かを判定する。たとえば、上述した例では、２値化された値が「１」の画素が原稿外の画素であり、２値化された値が「０」の画素が原稿外以外（原稿内）の画素である。この場合、上記原稿外判定モジュール５３は、２値化された値が「１」の画素が原稿外で、２値化された値が「０」の画素が原稿内であると判定する。ただし、原稿外の黒画像は、原稿内の画像の周囲に分布していると考えられる。このため、上記補正モジュール５４は、各画素が存在する位置（当該画素が存在する領域）についても原稿外らしいか否かを判定するようにしても良い。たとえば、隣接する画素が全て原稿内の画素であれば、上記補正モジュール５４は、当該画素が「１」であっても原稿内と判定するように判定結果を補正する。
【００４０】
また、上記消去部４３は、原稿外と判定された領域を消去する。上記消去部４３は、原稿外消去モジュール５５を有している。原稿外消去モジュール５５は、上記原稿外検出部４２により原稿外と判定された領域の画像を消去する。すなわち、上記原稿外消去モジュール５５は、上記原稿外検出部４２により検出された入力画像における原稿外の領域を示す情報が与えられるとともに、入力画像データ（スキャナ１１が読み取ったカラー画像データ）自体も供給される。上記原稿外消去モジュール５５は、上記原稿外検出部４２から与えられる原稿外の領域を示す情報に従って、入力画像としてのカラー画像データにおける原稿外の領域の画像を消去する。上記原稿外消去モジュール５５は、原稿外の領域の画像を消去したカラー画像データを処理結果として出力する。
【００４１】
次に、原稿外消去部３１における信号の流れについて詳細に説明する。  
ここでは、上記原稿外消去部３１における各モジュール５１〜５５は、図５に示すような入出力信号を有するものとする。図５に示すように、上記原稿外消去部３１における各モジュール５１〜５５は、ＣＰＵ２１からのリセット信号（RESET）およびメインクロック信号（MCLK1）により動作する。
【００４２】
図６は、モノクロ化モジュール５１における入出力信号の内容を示す図である。図６に示すように、モノクロ化モジュール５１には、入力画素信号（ＩＲＤＴ、ＩＧＤＴ、ＩＢＤＴ）が垂直同期信号（ＩＶＤＥＮ）および水平同期信号（ＩＨＤＥＮ）とともに入力される。入力画素信号（ＩＲＤＴ、ＩＧＤＴ、ＩＢＤＴ）は、スキャナ１１による読取画像などのカラー画像における各カラー画素のＲ、Ｇ、Ｂ信号である。入力画素信号は、原稿外消去部３１において、モノクロ化モジュール５１と原稿外消去モジュール５５とに供給される。
【００４３】
上記モノクロ化モジュール５１には、垂直同期信号（ＩＶＤＥＮ０）および水平同期信号（ＩＨＤＥＮ０）とともに、入力画像データを構成する各カラー画素のＲ、Ｇ、Ｂ信号を示す入力画素信号（ＩＲＤＴ、ＩＧＤＴ、ＩＢＤＴ）が入力される。また、上記ＣＰＵ２１は、Ｒ、Ｇ、Ｂの３つの信号をモノクロ化するための係数α、β、γの値（ＭＯＮＯＲ、ＭＯＮＯＧ、ＭＯＮＯＢ）をモノクロ化モジュール５１に供給する。
【００４４】
上記モノクロ化モジュール５１では、入力画素信号としての３つの信号（ＩＲＤＴ、ＩＧＤＴ、ＩＢＤＴ）に係数α、β、γをそれぞれ乗算し、それらの乗算した値の合計値を算出する。この算出した合計値が当該入力画素信号をモノクロ化したモノクロ画素値としてのＢＫ値（ＩＤＴ）である。上記モノクロ化モジュール５１は、図７に示すように、算出した上記ＢＫ値（ＩＤＴ）を垂直同期信号（ＩＶＤＥＮ０＿０）および水平同期信号（ＩＨＤＥＮ０＿０）のタイミングに同期させて２値化モジュール５２へ出力する。
【００４５】
図７は、２値化モジュール５２における入出力信号の内容を示す図である。上記２値化モジュール５２には、モノクロ化モジュール５１から供給されるＢＫ値（ＩＤＴ）を２値化する。ＣＰＵ２１は、ＢＫ値（ＩＤＴ）を２値化するための閾値（ＧＧＳＴＨ）を２値化モジュール５２に供給する。上記２値化モジュール５２は、ＢＫ値（ＩＤＴ）が閾値（ＧＧＳＴＨ）以上であるか否かを判定する。たとえば、上記２値化モジュール５２は、閾値以上であるＢＫ値を「１」とし、閾値未満であるＢＫ値を「０」に変換する。すなわち、上記２値化モジュール５２は、入力されたカラー画像の各画素を２値化した画素値（ＩＭＧＢ）に変換する。上記２値化モジュール５２は、２値化した画素値（ＩＭＧＢ）を、垂直同期信号（ＩＶＤＥＮ０＿１）および水平同期信号（ＩＨＤＥＮ０＿１）のタイミングに同期させて原稿外判定モジュール５３へ出力する。
【００４６】
上記原稿外判定モジュール５３には、２値化された画素値（ＩＭＧＢ）が垂直同期信号（ＩＶＤＥＮ０）および水平同期信号（ＩＨＤＥＮ０）とともに入力される。ここで、上記２値化モジュール５２は、閾値以上の画素を「１」とし、閾値未満の画素を「０」に変換しているものとする。この場合、上記原稿外判定モジュール５３は、２値化された画素値（ＩＭＧＢ）が「１」の画素が原稿外で、２値化された画素値（ＩＭＧＢ）が「０」の画素が原稿内であると判断する。上記原稿外判定モジュール５３は、２値化された画素値（ＩＭＧＢ）に基づく判定結果を示す情報（ＭＡＲＥＡ）を垂直同期信号（ＩＶＤＥＮ０＿２）および水平同期信号（ＩＨＤＥＮ０＿２）が示すタイミングで補正モジュール５４に供給する。なお、上記判定結果を示す情報（ＭＡＲＥＡ）は、たとえば、原稿外の領域と判定された画素の位置を示す情報である。
【００４７】
上記補正モジュール５４には、２値化された画素値に基づく判定結果を示す情報（ＭＡＲＥＡ）が垂直同期信号（ＩＶＤＥＮ０＿２）および水平同期信号（ＩＨＤＥＮ０＿２）に同期して供給される。上記補正モジュール５４は、判定結果を示す情報（ＭＡＲＥＡ）を補正するものである。たとえば、上記補正モジュール５４は、原稿外と判定された画素の位置が原稿外の領域であるか否かを確認する。
【００４８】
上記補正モジュール５４は、上記原稿外判定モジュール５３による判定結果（ＭＡＲＥＡ）が位置的に確からしいと判断した場合、当該判定結果を示す情報（ＭＡＲＥＡ）を最終的な判定結果（ＭＡＲ１）として原稿外消去モジュール５５へ出力する。また、上記補正モジュール５４は、上記原稿外判定モジュール５３による判定結果（ＭＡＲＥＡ）が位置的に確からしくないと判断した場合、当該判定結果を示す情報（ＭＡＲＥＡ）を訂正した判定結果を最終的な判定結果を示す情報（ＭＡＲ１）として原稿外消去モジュール５５へ出力する。
【００４９】
図８は、原稿外消去モジュール５５における入出力信号の内容を示す図である。上記原稿外消去モジュール５５には、図８に示すように、各画素に対する最終的な判定結果を示す情報（ＭＡＲ１）が垂直同期信号（ＩＶＤＥＮ０＿３）および水平同期信号（ＩＨＤＥＮ０＿３）に同期して供給される。また、上記原稿外消去モジュール５５には、原稿外消去部３１に供給された入力画像（カラー画像データ）を構成する各画素データとしての入力画素信号（ＩＲＤＴ、ＩＧＤＴ、ＩＢＤＴ）も供給される。
【００５０】
したがって、上記原稿外消去モジュール５５には、入力画素信号（ＩＲＤＴ、ＩＧＤＴ、ＩＢＤＴ）とともに、当該画素が原稿外であるか否かを示す情報（ＭＡＲ１）が供給される。ただし、上記原稿外消去モジュール５５に供給される入力画素信号（ＩＲＤＴ、ＩＧＤＴ、ＩＢＤＴ）と判定結果を示す情報（ＭＡＲ１）とは、対応するものとする。たとえば、入力画素信号（ＩＲＤＴ、ＩＧＤＴ、ＩＢＤＴ）は、図示しない遅延回路により遅延され、当該画素の判定結果を示す情報（ＭＡＲ１）と対応するように原稿外消去モジュール５５に入力される。
【００５１】
また、上記原稿外消去モジュール５５は、原稿外の領域を消去した画像データを出力画素信号（ＯＲＤＴ、ＯＧＤＴ、ＯＢＤＴ）として出力する。すなわち、上記原稿外消去モジュール５５は、判定結果を示す情報（ＭＡＲ１）が原稿外の画素でないことを示している場合、入力画素信号（ＩＲＤＴ、ＩＧＤＴ、ＩＢＤＴ）をそのまま出力画素信号（ＯＲＤＴ、ＯＧＤＴ、ＯＢＤＴ）として出力する。上記原稿外消去モジュール５５は、判定結果を示す情報（ＭＡＲ１）が原稿外の画素であることを示している場合、当該画素（原稿外の黒画像を構成する画素）を消去するため、Ｒ、Ｇ、Ｂ信号が全て最小濃度値となる画素値（白色の画素値）を出力画素信号（ＯＲＤＴ、ＯＧＤＴ、ＯＢＤＴ）として出力する。
【００５２】
次に、図２に示す第１の構成例のデジタル複合機１における処理の流れについて説明する。  
図９は、第１の構成例のデジタル複合機１における原稿画像の読取処理を含む処理の流れを説明するためのフローチャートである。  
まず、当該デジタル複合機１は、コピーモード、ネットワークスキャンモード、あるいは、ファクシミリモードの何れかの動作モードで動作する場合を想定するものとする。上記原稿外消去処理は、デフォルト設定として有効となるようにしても良いし、ユーザが指定した場合にのみ有効となるようにしても良い。
【００５３】
まず、コピー、ネットワークスキャン、あるいは、ファクシミリを行う場合、ユーザは、スキャナ１１に原稿をセットする。たとえば、ユーザは、ガラス台１１ａに原稿をセットするものとする。原稿をセットしたユーザは、操作部１５により動作モードを指定する。なお、動作モードの指定において、ユーザは、原稿外消去処理を有効とするか無効とするかを指定することが可能である。ＣＰＵ２１は、ユーザによる指定に応じて、動作モードおよび原稿外消去処理の有効および無効を設定する（Ａｃｔ１１）。
【００５４】
動作モードを指定したユーザは、操作部１５において原稿のスキャン開始を指示するスタートキーを入力する。ＣＰＵ２１は、スタートキーの入力を検知した場合、原稿のスキャンを開始する。原稿のスキャンを開始する場合（Ａｃｔ１２、ＹＥＳ）、上記ＣＰＵ２１は、原稿外消去処理が有効となっているか否かを判断する（Ａｃｔ１３）。なお、上記ＣＰＵ２１は、原稿の読取開始が指示されるまで、所定間隔ごとに原稿外消去処理が有効か無効かを確認するようにしても良い。
【００５５】
スキャンを開始時に原稿外消去処理が有効となっていれば（Ａｃｔ１３、ＹＥＳ）、上記ＣＰＵ２１は、上記開閉検知器１１ｃの検知信号に基づいて原稿カバー１１ｂが開いた状態であるか否かを判断する（Ａｃｔ１４）。この判断により原稿カバー１１ｂが開いた状態であると判断した場合（Ａｃｔ１４、ＹＥＳ）、上記ＣＰＵ２１は、スキャナ１１によりガラス台１１ａ上の原稿をスキャンする（Ａｃｔ１５）。この場合、上記主制御部１０は、スキャナ１１が読み取った画像を原稿外消去部３１に供給する。原稿外消去部３１は、スキャナ１１から供給された画像データから原稿外の画像領域を消去する（Ａｃｔ１６）。
【００５６】
上記ＣＰＵ２１は、上記原稿外消去部３１により原稿外の画像領域が消去された画像データを動作モードに応じた画像処理モジュール３２ａ、３２ｂ、３２ｃへ供給する。  
当該デジタル複合機１の動作モードがコピーモードである場合（Ａｃｔ１７、ＹＥＳ）、上記ＣＰＵ２１は、原稿外消去部３１から出力される画像データ（原稿外の画像領域が消去された画像データ）をコピー用画像処理モジュール３２ａへ供給する。上記コピー用画像処理部３２ａは、上述したようなプリント用（コピー用）の画像処理（たとえば、Ｃ、Ｍ、Ｙ信号への色変換など）により原稿外の領域が消去された画像データからプリント用（コピー用）の画像データを生成する（Ａｃｔ１８）。上記コピー用画像処理モジュール３２ａは、生成したプリント用の画像データをページメモリ２５に蓄積する（Ａｃｔ１９）。ページメモリ２５にプリント用の画像データを格納すると、ＣＰＵ２１は、ページメモリ２５に格納したプリント用の画像データを出力画像処理部２６により処理し、プリンタ１２により用紙にプリント（コピー）する（Ａｃｔ２０）。
【００５７】
また、当該デジタル複合機１の動作モードがネットワークスキャンモードである場合（Ａｃｔ２１、ＹＥＳ）、上記ＣＰＵ２１は、原稿外消去部３１から出力される画像データ（原稿外の画像領域が消去された画像データ）をＮＷ用画像処理モジュール３２ｂへ供給する。上記ＮＷ用画像処理モジュール３２ｂは、ネットワークスキャン用の画像処理（たとえば、ユーザ指定に応じた解像度変換あるいは画像圧縮など）により原稿外の領域が消去された画像データからネットワークスキャン用の画像データ（スキャン結果としての画像データ）を生成する（Ａｃｔ２２）。上記ＮＷ用画像処理モジュール３２ｂは、生成したネットワークスキャン用の画像データをページメモリ２５に蓄積する（Ａｃｔ２３）。ページメモリ２５にネットワークスキャン用の画像データを格納すると、ＣＰＵ２１は、ネットワークインターフェース１４によりページメモリ２５に格納したネットワークスキャン用の画像データをスキャン結果としてユーザが指定した宛先に送信する（Ａｃｔ２４）。
【００５８】
当該デジタル複合機１の動作モードがファクシミリモードである場合（Ａｃｔ２５、ＹＥＳ）、上記ＣＰＵ２１は、原稿外消去部３１からの出力（原稿外の画像領域が消去された画像データ）をＦＡＸ用画像処理モジュール３２ｃへ供給する。上記ＦＡＸ用画像処理モジュール３２ｃは、ファクシミリ用の画像処理（たとえば、モノクロ変換など）により原稿外の領域が消去された画像データからファクシミリ送信用の画像データを生成する（Ａｃｔ２６）。上記ＦＡＸ用画像処理モジュール３２ｃは、生成したファクシミリ送信用の画像データをページメモリ２５に蓄積する（Ａｃｔ２７）。ファクシミリ送信用の画像データをページメモリ２５に格納すると、ＣＰＵ２１は、ファクシミリインターフェース１３によりページメモリ２５に格納したファクシミリ送信用の画像データをユーザが指定した電話番号の宛先に送信する（Ａｃｔ２８）。
【００５９】
なお、原稿外消去処理が無効に設定されている場合（Ａｃｔ１３、ＮＯ）、あるいは、原稿カバーが閉じられている場合（Ａｃｔ１４、ＮＯ）、ＣＰＵ２１は、スキャナ１１により読み取った画像データに対する原稿外消去部３１の処理を省略する。つまり、原稿外消去処理が不要である場合、上記ＣＰＵ２１は、スキャナ１１により読み取った画像データを直接的に動作モードに応じた画像処理モジュール３２ａ、３２ｂ、３２ｃへ供給する。この場合、動作モードに応じて選択された画像処理モジュール３２ａ、３２ｂ、３２ｃは、原稿外消去処理が実施されていない画像データから動作モードに応じた画像データを生成する。
【００６０】
上記のように、第１の構成例のデジタル複合機では、スキャナにより読み取った画像データが各種の動作モードに応じた画像処理モジュールへ供給される前に原稿外消去部３１が設けられている。この結果として、第１の構成例のデジタル複合機では、動作モードによって原稿外消去処理の結果にばらつきが生じないようにできる。つまり、第１の構成例のデジタル複合機では、どのような動作モードであっても、入力された画像データに対して同等な原稿外消去処理を行うことができる。
【００６１】
次に、デジタル複合機および主制御部の第２の構成例について説明する。  
図１０は、デジタル複合機１０１および主制御部１１０の第２の構成例を示すブロック図である。  
図１０に示すように、第２の構成例のデジタル複合機１０１は、主制御部１１０、スキャナ１１１、プリンタ１１２、ファクシミリ通信部（ＦＡＸ部）１１３、ネットワーク通信部（ＮＷ部）１１４、および、操作部１１５を有する。スキャナ１１１、プリンタ１１２、ファクシミリ通信部（ＦＡＸ部）１１３、ネットワーク通信部（ＮＷ部）１１４、および、操作部１１５は、図１及び図２に示す第１の構成例のデジタル複合機１におけるスキャナ１１、プリンタ１２、ＦＡＸ部１３、ＮＷ部１４および操作部１５と同様なものである。このため、スキャナ１１１、プリンタ１１２、ＦＡＸ部１１３、ＮＷ部１１４および操作部１１５については、詳細な説明を省略する。
【００６２】
また、図１０に示す第２の構成例の主制御部１１０は、第１の構成例で説明した図２に示す主制御部１０と基本的な機能が同じである。ただし、第２の構成例の主制御部１１０と第１の構成例の主制御部１０とでは、入力される画像データに対する処理の流れが異なっている。
【００６３】
図１０に示すように、第２の構成例の主制御部１１０は、ＣＰＵ１２１、メインメモリ１２２、ＨＤＤ１２３、スキャナ系の画像処理部（入力画像処理部）１２４、ページメモリ１２５、および、プリンタ系の画像処理部（出力画像処理部）１２６などを有する。メインメモリ１２２、ＨＤＤ１２３、ページメモリ１２５、および、プリンタ系の画像処理部（出力画像処理部）１２６は、図２に示す第１の構成例で説明したメインメモリ２２、ＨＤＤ２３、ページメモリ２５および出力画像処理部２６と同等なもので実現できる。このため、メインメモリ１２２、ＨＤＤ１２３、ページメモリ１２５および出力画像処理部１２６については、詳細な説明を省略する。
【００６４】
上記ＣＰＵ１２１は、当該デジタル複合機１０１全体の制御を司るものである。上記ＣＰＵ１２１は、図示しないプログラムメモリに記憶されているプログラムを実行することにより、種々の機能を実現する。上記ＣＰＵ１２１は、上記第１の構成例のＣＰＵ２１と同様に、コピー機能、ファクシミリ機能、あるいは、ネットワークスキャン機能を実現するための制御を行う。上記ＣＰＵ１２１は、原稿外消去処理において原稿外の領域を検出のための基準値として、当該デジタル複合機１０１の動作モードに応じた値を設定する機能も有している。
【００６５】
上記入力画像処理部１２４は、入力画像を処理するものである。図１０に示す入力画像処理部１２４は、スキャナ１１１が読み取った画像を入力画像として処理するスキャナ系の画像処理部として機能する。なお、上記入力画像処理部１２４としての種々の画像処理は、上記ＣＰＵ１２１が画像処理用のプログラムを実行することにより実現するようにしても良い。また、入力画像処理部１２４に入力される画像は、スキャナ１１１から入力される画像データに限定されない。たとえば、入力画像処理部１２４は、ＮＷ部１１４によりネットワーク経由で受信する画像データ、あるいは、ＦＡＸ部１１３によりファクシミリ通信で受信する画像データを入力画像として入力するようにしても良い。
【００６６】
上記入力画像処理部１２４は、種々の画像処理モジュール１３２ａ、１３２ｂ、１３２ｃ、および、原稿外消去部１３３を有する。すなわち、図１０及び図１１に示す第２の構成例の入力画像処理部１２４は、図２に示す第１の構成例の画像読取処理部２４とはスキャナから供給される画像データを処理する順序が異なっている。
【００６７】
各画像処理モジュール１３２ａ、１３２ｂ、１３２ｃは、動作モードに応じて画像データを変換する画像変換部である。すなわち、各画像処理モジュール１３２ａ、１３２ｂ、１３２ｃは、当該デジタル複合機１０１の動作モードに応じて選択される。動作モードに応じて選択された画像処理モジュール１３２ａ、１３２ｂ、１３２ｃは、スキャナ１１１により読み取った画像データを画像処理し、原稿外消去部１３３へ供給する。
【００６８】
なお、各画像処理モジュール１３２ａ、１３２ｂ、１３２ｃが実行する画像処理の内容は、上記第１の構成例で説明した各画像処理モジュール３２ａ、３２ｂ、３２ｃが実行する画像処理の内容と同様なもので良い。このため、上記画像処理モジュール１３２ａ、１３２ｂ、１３２ｃにおける画像処理の内容については、詳細な説明を省略する。
【００６９】
上記原稿外消去部１３３は、各画像処理モジュール１３２ａ、１３２ｂ、１３２ｃで処理された画像データから原稿外の領域を消去（白色に変換）する。上記原稿外消去部１３３は、画像データを２値のモノクロ画像データに変換し、２値のモノクロ画像データから原稿外の領域を検出し、原稿外の領域を画像データから消去する。
【００７０】
次に、上記原稿外消去部１３３における原稿外消去処理について詳細に説明する。  
図１１は、第２の構成例における原稿外消去部１３３の構成を示す図である。  
図１１に示すように、第２の構成例の原稿外消去部１３３は、モノクロ変換部１４１、原稿外検出部１４２および消去部１４３を有する。図１１に示す原稿外消去部１３３における原稿外検出部１４２および消去部１４３は、図５に示す原稿外検出部４２および消去部４３と同様なもので実現できる。このため、図１１に示す原稿外検出部１４２および消去部１４３については、詳細な説明を省略する。
【００７１】
上記モノクロ変換部１４１は、モノクロ化モジュール群１５１と２値化モジュール１５２とを有する。図１１に示す例では、モノクロ化モジュール群１５１は、画像データをモノクロ化するためのモジュールとして、第１の変換モジュール１６１ａおよび第２の変換モジュール１６１ｂを有している。
【００７２】
図１１に示す例では、コピー用画像処理部１３２ａは、プリント用のカラー画像データとして、Ｃ（シアン）、Ｍ（マゼンタ）、Ｙ（イエロー）の各信号からなる補色系のカラー画像データを出力する。ＮＷ用画像処理部１３２ｂは、スキャン結果としてのカラー画像データとして、Ｒ（レッド）、Ｇ（グリーン）、Ｂ（ブルー）の各信号からなる原色系のカラー画像データなどを出力する。また、ＮＷ用画像処理部１３２ｂは、スキャン結果としてのカラー画像データとして、Ｙ、Ｃｂ、Ｃｎの各信号からなるカラー画像データを出力するようにしても良い。さらには、ＮＷ用画像処理部１３２ｂは、スキャン結果としてのカラー画像データとして、ユーザが指定したデータ形式（たとえば、ＪＰＥＧなどのデータ形式）のカラー画像データを出力するようにしても良い。ＦＡＸ用画像処理部１３２ｃは、ファクシミリ送信用の画像データとして、ＢＫ（モノクロ）の信号からなるモノクロ画像データを出力する。
【００７３】
図１１に示すモノクロ化モジュール群１５１では、各画像処理部１３２ａ、１３２ｂ、１３２ｃに対応するモノクロ変換用の変換モジュールがある。すなわち、第１の変換モジュール１６１ａは、コピー用画像処理部１３２ａに対応するモノクロ変換用の処理モジュールである。第２の変換モジュール１６１ｂは、ＮＷ用画像処理部１３２ｂに対応するモノクロ変換用の処理モジュールである。
【００７４】
なお、図１１に示すように、ＦＡＸ用画像処理部１３２ｃがモノクロ画像データを出力する場合、ＦＡＸ用画像処理部１３２ｃに対応するモノクロ変換用のモジュールは不要となる。ただし、モノクロ化モジュール群１５１には、ＦＡＸ用画像処理部１３２ｃからのモノクロ画像データを２値化モジュールへ供給する前に補正する処理モジュールを設けても良い。
【００７５】
コピー用画像処理部１３２ａに対応する第１の変換モジュール１６１ａは、コピー用画像処理部１３２ａから与えられるカラー画像データをモノクロ化した画像データを２値化モジュールへ供給する。コピー用画像処理部１３２ａがＣ、Ｍ、Ｙの各信号からなるカラー画素で構成されるカラー画像データを出力する場合、上記第１の変換モジュール１６１ａは、Ｃ、Ｍ、Ｙの各値からなるカラー画素をモノクロ画素に変換する。この場合、第１の変換モジュール１６１ａには、上述したようなＲ、Ｇ、Ｂの各値からなるカラー画素をモノクロ化する処理と同様な手法が適用できる。つまり、上記第１の変換モジュール１６１ａは、Ｃ、Ｍ、Ｙの各値からなるカラー画素を「０≦α、β、γ≦１、α＋β＋γ」となるα、β、γを用いて、「ＢＫ＝α×Ｃ＋β×Ｍ＋γ×Ｙ、」によりモノクロの画素値（ＢＫ）に変換する。
【００７６】
たとえば、上記第１の変換モジュール１６１ａでは、ＢＫ＝（Ｃ＋Ｍ＋Ｙ）／３によりカラー画素値からモノクロの画素値（ＢＫ）を算出することが考えられる。この場合、各係数α、β、γは、それぞれ「０．３３３…」と設定される。上記ＣＰＵ１２１は、第１の変換モジュール１６１ａに対して係数α、β、γを設定する。上記係数α、β、γは、原稿画像内における黒色の画像と原稿画像外の黒色の画像とが分離しやすくなるような値が好ましい。たとえば、ＣＰＵ１２１は、原稿モード（たとえば、文字モード、写真モード、文字と写真モード）などに基づいて係数α、β、γの値を決定する。
【００７７】
ＮＷ用画像処理部１３２ｂに対応する第２の変換モジュール１６１ｂは、スキャン結果として得られるカラー画像データをモノクロ化した画像データを２値化モジュール１５２に供給する。つまり、第２の変換モジュール１６１ｂは、ＮＷ用画像処理部１３２ｂからスキャン結果として与えられるカラー画像データをモノクロ画像データに変換する。たとえば、第２の変換モジュール１６１ｂは、Ｒ、Ｇ、Ｂの各値あるいはＹ、Ｃｂ、Ｃｎの各値からなるカラー画素をモノクロ画素に変換する。なお、第２の変換モジュール１６１ｂにも、上述したようなモノクロ化の処理が適用できる。
【００７８】
なお、ＦＡＸ用画像処理部１３２ｃは、ファクシミリ用の画像処理として、入力画像データをファクシミリ送信用のモノクロ画像データに変換する。つまり、ＦＡＸ用画像処理部１３２ｃから出力される画像データは、モノクロ画像データであるため、モノクロ化の処理が不要である。従って、ＦＡＸ用画像処理部１３２ｃは、画像処理結果としてのモノクロ画像データをモノクロ化モジュール群１５１を通過させて直接的に２値化モジュールに供給する。
【００７９】
上記２値化モジュール１５２は、ＣＰＵ１２１から与えられる基準値に基づいてモノクロ画像データを２値化する。上記２値化モジュール１５２は、第１の構成例で説明した２値化モジュール５２と同様に、原稿外の黒画像とそれ以外の領域の画像とを分離するための２値化閾値（ＣＰＵ１２１から与えられる基準値）によって、モノクロ画像データを構成する各画素を２値化する。
【００８０】
第２の構成例では、２値化モジュール１５２に供給されるモノクロ画像データは、動作モードに応じた異なる種々の処理で得られる。このため、ＣＰＵ１２１は、動作モードに応じて原稿外を検出するための基準値としての２値化閾値を決定する。ＣＰＵ１２１は、原稿外消去処理により消去される領域が動作モードにかかわらずできるだけ同じなるような２値化閾値を決定する。つまり、ＣＰＵ１２１は、動作モードによらずに同じ領域が原稿外として消去されるように、入力画像（スキャン画像）が２値化モジュール１５２に至るまでの処理内容（動作モードによって特定される処理内容）に応じた２値化閾値を決定する。このような２値化閾値を決定すると、ＣＰＵ１２１は、２値化モジュール１５２に対して２値化閾値を設定する。
【００８１】
たとえば、当該デジタル複合機１０１がコピーモードである場合、ＣＰＵ１２１は、コピーモード用の２値化閾値を２値化モジュール１５２に供給する。コピーモードでは、スキャナ１１１により読み取った画像データがコピー用画像処理部１３２ａにより画像処理され、第１の変換モジュール１６１ａによりモノクロ化される。言い換えれば、コピーモードである場合、ＣＰＵ１２１は、コピー用画像処理部１３２ａおよび第１の変換モジュール１６１ａの処理内容に応じたコピーモード用の２値化閾値を２値化モジュール１５２に対して設定する。
【００８２】
また、当該デジタル複合機１０１がネットワークスキャンモードである場合、ＣＰＵ１２１は、ネットワークスキャンモード用の２値化閾値を２値化モジュール１５２に供給する。ネットワークスキャンモードでは、スキャナ１１１により読み取った画像データがＮＷ用画像処理部１３２ｂにより画像処理され、第２の変換モジュール１６１ｂによりモノクロ化される。言い換えれば、ネットワークスキャンモードである場合、ＣＰＵ１２１は、ＮＷ用画像処理部１３２ｂおよび第２の変換モジュール１６１ｂの処理内容に応じたネットワークスキャンモード用の２値化閾値を２値化モジュール１５２に対して設定する。
【００８３】
また、当該デジタル複合機１０１がファクシミリモードである場合、ＣＰＵ１２１は、ファクシミリモード用の２値化閾値を２値化モジュール１５２に供給する。ファクシミリモードでは、スキャナ１１１により読み取った画像データがＦＡＸ用画像処理部１３２ｃによりファクシミリ送信用のモノクロ画像データとしてモノクロ化される。言い換えれば、ファクシミリモードである場合、ＣＰＵ１２１は、ＦＡＸ用画像処理部１３２ｃの処理内容に応じたファクシミリモード用の２値化閾値を２値化モジュール１５２に対して設定する。
【００８４】
上記コピーモード用の２値化閾値、ネットワークスキャンモード用の２値化閾値およびファクシミリモード用の２値化閾値は、コピーモード、ネットワークスキャンモードあるいはファクシミリモードの何れの動作モードであっても、原稿外消去処理により消去される領域が同じになるように設定される。各モード用の２値化閾値は、たとえば、予め設定される値である。なお、各動作モード用の２値化閾値は、さらに、原稿モード（文字、写真、文字写真）などに応じて設定しておくようにしても良い。また、各モード用の２値化閾値は、複数段の調整レベルごとに設定されるようにしても良い。
【００８５】
図１２は、第２の構成例における各動作モード用の２値化閾値の設定例を示す図である。  
図１２に示す例では、複数段の調整レベルごとに各動作モード用の２値化閾値を設定した例を示している。ここで、調整レベルとは、画像データから原稿外の領域を検出する強度（調整レベル）を示すものとする。なお、図１２に示す例では、モノクロ画素の濃度値が２５６階調で表される場合を想定する。また、図１２に示すような２値化閾値の設定データは、たとえば、ＨＤＤ２３、あるいは、図示しない不揮発性メモリに保存される。
【００８６】
図１２に示すように、各動作モードに対する２値化閾値は、同じ調整レベルであっても異なった値となっている。これは、上述したように、各動作モードごとの異なる処理によって得られる画像データから同じ領域を原稿外の領域として検出するためである。たとえば、図１２に示す例において、調整レベル「０」（当該デジタル複合機に固有なデフォルト値）では、コピーモード用の２値化閾値は、ネットワークスキャンモード用の２値化閾値よりも大きく、ファクシミリモード用の２値化閾値よりは小さい値となっている。上記２値化モジュール１５２は、図１２に示すような動作モードごとの２値化閾値により、どのような動作モードであっても、各調整レベルにおいて同じ領域が原稿外の領域として検出されるような２値のモノクロ画像データを生成する。
【００８７】
次に、第２の構成例のデジタル複合機１０１における処理の流れについて説明する。  
図１３は、第２の構成例のデジタル複合機１０１における原稿画像の読取処理を含む処理の流れを説明するためのフローチャートである。  
デジタル複合機１０１において、コピー、ネットワークスキャン、あるいは、ファクシミリを行う場合、ユーザは、スキャナ１１１に原稿をセットし、操作部１１５により動作モードを指定する。なお、動作モードの指定において、ユーザは、原稿外消去処理を有効とするか無効とするかを指定することも可能である。ＣＰＵ１２１は、ユーザによる指定に応じて、動作モードを設定する（Ａｃｔ３１）。動作モードを指定したユーザは、操作部１１５に設けられた原稿のスキャン開始を指示するスタートキーを入力する。ＣＰＵ１２１は、スタートキーの入力を検知した場合（Ａｃｔ３２、ＹＥＳ）、原稿のスキャンを開始する（Ａｃｔ３３）。
【００８８】
ここで、当該デジタル複合機１０１の動作モードがコピーモードである場合（Ａｃｔ３４、ＹＥＳ）、ＣＰＵ１２１は、スキャナ１１１が読み取った画像データをコピー用画像処理部１３２ａへ供給する。上記コピー用画像処理部１３２ａは、スキャナ１１１から供給される画像データに対してプリント用（コピー用）の画像処理（たとえば、Ｃ、Ｍ、Ｙ信号への色変換など）を行う（Ａｃｔ３５）。この結果として、上記コピー用画像処理部１３２ａは、スキャナ１１１が読み取った画像データからプリント用の画像データを生成する。
【００８９】
一方、ＣＰＵ１２１は、原稿外消去処理が有効となっているか否かを判断する（Ａｃｔ３６）。原稿外消去処理が有効である場合（Ａｃｔ３６、ＹＥＳ）、上記ＣＰＵ１２１は、上記検知器１１ｃの検知信号に基づいて原稿カバー１１ｂが開いた状態であるか否かを判断する（Ａｃｔ３７）。この判断により原稿カバー１１ｂが開いた状態であると判断した場合（Ａｃｔ３７、ＹＥＳ）、上記ＣＰＵ１２１は、原稿外消去処理を実行すると判断する。
【００９０】
原稿外消去処理を実行する場合、上記ＣＰＵ１２１は、原稿外消去部１３３に対する設定を行う（Ａｃｔ３８）。第２の構成例のデジタル複合機１０１では、上述したように、ＣＰＵ１２１は、原稿外消去部１３３に対する設定として、動作モードに応じてモノクロ化モジュール群１５１から変換モジュールを選択し、かつ、動作モードに応じた２値化閾値を２値化モジュールに設定する。すなわち、動作モードがコピーモードである場合、ＣＰＵ１２１は、モノクロ化モジュール群１５１から第１の変換モジュール１６１ａを選択し、コピーモード用の２値化閾値を２値化モジュール１５２に対して設定する。
【００９１】
上記ＣＰＵ１２１により動作モードに応じて設定された原稿外消去部１３３は、上記コピー用画像処理部（モジュール）１３２ａから供給されるプリント用の画像データから原稿外の領域を消去する（Ａｃｔ３９）。上記原稿外消去部１３３は、上述したように、プリント用の画像データをモノクロ化し、モノクロ化した画像データから原稿外の領域を検出し、検出した原稿外の領域を消去したプリント用の画像データを出力する。
【００９２】
上記原稿外消去部１３３から出力される原稿外の領域が消去された画像データは、読取画像処理部１２４の処理結果としてページメモリ１２５に保存される。つまり、上記ページメモリ１２５は、上記原稿外消去部１３３により出力される画像データ（原稿外の領域が消去された画像データ）を保存する（Ａｃｔ４０）。
【００９３】
上記読取画像処理部１２４から出力される画像データをページメモリ１２５に保存すると、ＣＰＵ１２１は、動作モードに応じた処理ユニット（たとえば、プリンタ、ネットワークインターフェース、ファクシミリインターフェース）によりページメモリ１２５に保存した画像データを処理する。動作モードがコピーモードである場合（Ａｃｔ４１、ＹＥＳ）、ＣＰＵ１２１は、ページメモリ１２５に保存した画像データを出力画像処理部１２６により処理し、プリンタ１１２によりプリントする（Ａｃｔ４２）。
【００９４】
当該デジタル複合機１０１の動作モードがネットワークスキャンモードである場合（Ａｃｔ４３、ＹＥＳ）、ＣＰＵ１２１は、スキャナ１１１が読み取った画像データをＮＷ用画像処理部１３２ｂへ供給する。上記ＮＷ用画像処理部（モジュール）１３２ｂは、スキャナ１１１から供給される画像データに対してネットワークスキャン用（ネットワーク転送用）の画像処理（たとえば、ユーザ指定に応じた解像度変換あるいは画像圧縮など）を行う（Ａｃｔ４４）。この結果として、上記ＮＷ用画像処理部１３２ｂは、スキャナ１１１が読み取った画像データからネットワークスキャン用の画像データを生成する。
【００９５】
一方、ＣＰＵ１２１は、上述したように、原稿外消去処理を実行するか否かを判断する（Ａｃｔ３６及び３７）。ネットワークスキャンモードで、原稿外消去処理を実行すると判断した場合、ＣＰＵ１２１は、ネットワークスキャンに対応して原稿外消去部１３３を設定する（Ａｃｔ３８）。たとえば、ＣＰＵ１２１は、ネットワークスキャンの設定として、モノクロ化モジュール群１５１から第２の変換モジュール１６１ｂを選択し、ネットワークスキャンモード用の２値化閾値を２値化モジュール１５２に設定する。ネットワークスキャン用に設定された原稿外消去部１３３は、ＮＷ用画像処理部１３２ｂから供給されるネットワークスキャン用の画像データから原稿外の領域を消去し（Ａｃｔ３９）、原稿外の領域を消去した画像データをページメモリ１２５保存する（Ａｃｔ４０）。
【００９６】
また、ネットワークスキャンモードである場合（Ａｃｔ４５、ＹＥＳ）、ＣＰＵ１２１は、ページメモリ１２５に保存した画像データ（原稿外を消去したスキャン結果としての画像データ）をユーザが指定する保存先に転送あるいは保存する（Ａｃｔ４６）。たとえば、ネットワーク上の外部機器としてのユーザ端末に画像データを保存する場合、ネットワークインターフェース１１４は、ページメモリ１２５に保存した画像データを当該ユーザ端末へ転送する。
【００９７】
当該デジタル複合機１０１の動作モードがファクシミリモードである場合（Ａｃｔ４７、ＹＥＳ）、ＣＰＵ１２１は、スキャナ１１１が読み取った画像データをＦＡＸ用画像処理部（モジュール）１３２ｃへ供給する。上記ＦＡＸ用画像処理部１３２ｃは、スキャナ１１１から供給される画像データに対してファクシミリ用（ファクシミリ送信用）の画像処理（たとえば、モノクロ変換など）を行う（Ａｃｔ４８）。この結果として、上記ＦＡＸ用画像処理部１３２ｃは、スキャナ１１１が読み取った画像データからファクシミリ用の画像データを生成する。
【００９８】
一方、ＣＰＵ１２１は、上述したように、原稿外消去処理を実行するか否かを判断する（Ａｃｔ３６及び３７）。ファクシミリモードで、原稿外消去処理を実行すると判断した場合、ＣＰＵ１２１は、ファクシミリモードに対応して原稿外消去部１３３を設定する（Ａｃｔ３８）。たとえば、ＣＰＵ１２１は、ファクシミリモード用の設定として、モノクロ化モジュール群１５１の各変換モジュールを省略し、ファクシミリモード用の２値化閾値を２値化モジュール１５２に設定する。ファクシミリモード用に設定された原稿外消去部１３３は、ＦＡＸ用画像処理部１３２ｃから供給されるファクシミリ用の画像データから原稿外の領域を消去し（Ａｃｔ３９）、原稿外の領域を消去した画像データをページメモリ１２５保存する（Ａｃｔ４０）。
【００９９】
また、ファクシミリモードである場合（Ａｃｔ４９、ＹＥＳ）、ＣＰＵ１２１は、ページメモリ１２５に保存した画像データ（原稿外を消去したファクシミリ送信用の画像データ）をユーザが指定する電話番号へファクシミリ送信する（Ａｃｔ５０）。
【０１００】
上記のように、第２の構成例のデジタル複合機では、スキャナにより読み取った画像データを各種の動作モードに対応する画像処理部で処理し、動作モードに応じて設定した原稿外消去部により各画像処理部で処理された画像データから原稿外の領域を消去する。また、上記原稿外消去部は、どの動作モードであっても原稿外として消去する領域が同じとなるように動作モード（動作モードに対応する画像処理部の処理内容）に応じて設定される。この結果として、第２の構成例のデジタル複合機では、動作モードによって原稿外消去処理の結果にばらつきが生じないようにできる。すなわち、第２の構成例のデジタル複合機では、どのような動作モードであっても、入力された画像データに対して同等な原稿外消去処理を行うことができる。
【０１０１】
次に、デジタル複合機および主制御部の第３の構成例について説明する。  
図１４は、デジタル複合機２０１および主制御部２１０の第３の構成例を示すブロック図である。  
図１４に示すように、第３の構成例のデジタル複合機２０１は、主制御部２１０、スキャナ２１１、プリンタ２１２、ファクシミリ通信部（ＦＡＸ部）２１３、ネットワーク通信部（ＮＷ部）２１４、および、操作部２１５を有する。スキャナ２１１、プリンタ２１２、ファクシミリ通信部（ＦＡＸ部）２１３、ネットワーク通信部（ＮＷ部）２１４、および、操作部２１５は、図１及び図２に示す第１の構成例のデジタル複合機１におけるスキャナ１１、プリンタ１２、ＦＡＸ部１３、ＮＷ部１４および操作部１１５と同様なものである。このため、スキャナ２１１、プリンタ２１２、ＦＡＸ部２１３、ＮＷ部２１４および操作部２１５については、詳細な説明を省略する。
【０１０２】
また、図１４に示す第３の構成例の主制御部２１０は、第１の構成例で説明した図２に示す主制御部１０と基本的な機能が同じである。ただし、第３の構成例の主制御部２１０と第１の構成例の主制御部１０とでは、入力される画像データに対する処理の流れが異なっている。
【０１０３】
図１４に示すように、第３の構成例の主制御部２１０は、ＣＰＵ２２１、メインメモリ２２２、ＨＤＤ２２３、スキャナ系の画像処理部（入力画像処理部）２２４、ページメモリ２２５、プリンタ系の画像処理部（出力画像処理部）２２６、および、原稿外消去部２３１などを有する。メインメモリ２２２、ＨＤＤ２２３、ページメモリ２２５、および、プリンタ系の画像処理部（出力画像処理部）２２６は、図２に示す第１の構成例で説明したメインメモリ２２、ＨＤＤ２３、ページメモリ２５および出力画像処理部２６と同等なもので実現できる。このため、メインメモリ２２２、ＨＤＤ２２３、ページメモリ２２５および出力画像処理部２２６については、詳細な説明を省略する。
【０１０４】
上記ＣＰＵ２２１は、当該デジタル複合機２０１全体の制御を司るものである。上記ＣＰＵ２２１は、図示しないプログラムメモリに記憶されているプログラムを実行することにより、種々の機能を実現する。上記ＣＰＵ２２１は、上記第１の構成例のＣＰＵ２１と同様に、コピー機能、ファクシミリ機能、あるいは、ネットワークスキャン機能を実現するための制御を行う。また、上記ＣＰＵ２２１は、原稿外消去部２３１に対して、ページメモリ２２５から読み出した画像データから原稿外の領域を検出のための基準値を原稿外消去部２３１に設定する機能も有している。
【０１０５】
上記入力画像処理部２２４は、入力画像を処理するものである。図１４に示す入力画像処理部２２４は、スキャナ２１１が読み取った画像を入力画像として処理するスキャナ系の画像処理部として機能する。なお、上記入力画像処理部２２４としての種々の画像処理は、上記ＣＰＵ２２１が画像処理用のプログラムを実行することにより実現するようにしても良い。
【０１０６】
上記入力画像処理部２２４は、種々の画像処理モジュール２３２ａ、２３２ｂ、２３２ｃを有する。図１４に示す第３の構成例の読取画像処理部２２４において、各画像処理モジュール２３２ａ、２３２ｂ、２３２ｃが実行する画像処理の内容は、上記第１の構成例で説明した各画像処理モジュール３２ａ、３２ｂ、３２ｃが実行する画像処理の内容と同様なもので良い。このため、上記画像処理モジュール２３２ａ、２３２ｂ、２３２ｃが実行する画像処理の内容については、詳細な説明を省略する。
【０１０７】
上記ＣＰＵ２２１は、当該デジタル複合機１０１の動作モードに応じて各画像処理モジュール１３２ａ、１３２ｂ、１３２ｃの何れかを選択する。動作モードに応じて選択された画像処理モジュール２３２ａ、２３２ｂ、２３２ｃは、スキャナ２１１により読み取った画像データを画像処理する。
【０１０８】
上記ページメモリ２２５は、各画像処理モジュール２３２ａ、２３２ｂ、２３２ｃが画像処理した画像データを保存する。たとえば、ページメモリ２２５は、各画像処理モジュール２３２ａから出力された画像データをプリント用の画像データとして保存し、各画像処理モジュール２３２ｂから出力された画像データをネットワークスキャン用の画像データとして保存し、各画像処理モジュール２３２ｃから出力された画像データをファクシミリ用の画像データとして保存する。また、ページメモリ２２５は、ＮＷ部１１４によりネットワーク経由で受信した画像データ、あるいは、ＦＡＸ部１１３によりファクシミリ通信で受信した画像データも保存可能である。
【０１０９】
上記原稿外消去部２３１は、ページメモリ２２５から読み出した画像データから原稿外の領域を消去する。原稿外消去部２３１は、上記第２の構成例で説明した原稿外消去部１３３と同様な構成で実現できる。ただし、原稿外消去部２３１は、ページメモリ２２５から読み出した画像データをＣＰＵ２２１により指定されるモジュールで処理する。つまり、第３の構成例では、原稿外消去部２３１は、直接的に動作モードに対応した処理部から出力される画像データを処理するものではない。原稿外消去部２３１は、原稿外消去部１３３と同様に、モノクロ化モジュール群１５１として各動作モードに対応する種々の変換モジュール１６１ａ、１６１ｂを有している。従って、ＣＰＵ２２１は、ページメモリ２２５から読み出した画像データをモノクロ化するための変換モジュールを指定する。
【０１１０】
また、ＣＰＵ２２１は、モノクロ化した画像データを２値化するための２値化閾値を２値化モジュールに設定する。ＣＰＵ２２１は、上記第２の構成例で説明した方法により、処理対象とする画像データに応じた２値化閾値を決定する。
【０１１１】
たとえば、ページメモリ２２５から読み出した画像データがプリント用の画像データである場合（つまり、動作モードがコピーモードである場合）、ＣＰＵ２２１は、原稿外消去部２３１に対してモノクロ化モジュールとして第１変換モジュールを指定し、２値化モジュール１５２にコピーモード用の２値化閾値を設定する。また、ページメモリ２２５から読み出した画像データがネットワークスキャン用の画像データである場合（つまり、動作モードがネットワークスキャンモードである場合）、ＣＰＵ２２１は、原稿外消去部２３１に対して、モノクロ化モジュールとして第２の変換モジュール１６１ｂを指定し、２値化モジュール１５２にネットワークスキャンモード用の２値化閾値を設定する。また、ページメモリ２２５から読み出した画像データがファクシミリ用の画像データである場合（つまり、動作モードがファクシミリモードである場合）、ＣＰＵ２２１は、原稿外消去部２３１に対して、モノクロ化モジュールを省略し、２値化モジュール１５２にファクシミリモード用の２値化閾値を設定する。
【０１１２】
次に、第３の構成例のデジタル複合機２０１における処理の流れについて説明する。  
図１５は、第３の構成例のデジタル複合機２０１における原稿画像の読取処理を含む処理の流れを説明するためのフローチャートである。  
デジタル複合機２０１において、コピー、ネットワークスキャン、あるいは、ファクシミリを行う場合、ユーザは、スキャナ２１１に原稿をセットし、操作部２１５により動作モードを指定する。なお、動作モードの指定において、ユーザは、原稿外消去処理を有効とするか無効とするかを指定することも可能である。ＣＰＵ２２１は、ユーザによる指定に応じて、動作モードを設定する（Ａｃｔ６１）。この際、ＣＰＵ２２１は、原稿外消去処理が有効か無効かも設定する。
【０１１３】
動作モードを指定したユーザは、操作部２１５に設けられた原稿のスキャン開始を指示するスタートキーを入力する。ＣＰＵ２２１は、スタートキーの入力を検知した場合（Ａｃｔ６２、ＹＥＳ）、原稿のスキャンを開始する（Ａｃｔ６３）。当該デジタル複合機２０１の動作モードがコピーモードである場合（Ａｃｔ６４、ＹＥＳ）、ＣＰＵ２２１は、スキャナ２１１が読み取った画像データをコピー用画像処理部（モジュール）２３２ａへ供給する。上記コピー用画像処理部２３２ａは、スキャナ２１１から供給される画像データに対してプリント用（コピー用）の画像処理（たとえば、Ｃ、Ｍ、Ｙ信号への色変換など）を行う（Ａｃｔ６５）。この結果として、上記コピー用画像処理部２３２ａは、スキャナ２１１が読み取った画像データ（スキャン画像）からプリント用の画像データを生成する。
【０１１４】
上記ページメモリ２２５は、上記コピー用画像処理部２３２ａによりスキャン画像から生成されたプリント用の画像データを、一旦、読取画像処理部２２４の処理結果として保存する（Ａｃｔ６６）。つまり、上記ページメモリ２２５は、原稿外の領域が消去される前のプリント用の画像データを保存する。
【０１１５】
また、ＣＰＵ２２１は、原稿外消去処理が有効となっているか否かを判断する（Ａｃｔ６７）。原稿外消去処理が有効である場合（Ａｃｔ６７、ＹＥＳ）、上記ＣＰＵ２２１は、上記検知器１１ｃの検知信号に基づいて原稿カバー１１ｂが開いた状態であるか否かを判断する（Ａｃｔ６８）。この判断により原稿カバー１１ｂが開いた状態であると判断した場合（Ａｃｔ６８、ＹＥＳ）、上記ＣＰＵ２２１は、原稿外消去処理を実行すると判断する。
【０１１６】
原稿外消去処理を実行する場合、上記ＣＰＵ２２１は、原稿外消去部２３１に対する設定を行う（Ａｃｔ６９）。第３の構成例のデジタル複合機２０１では、上述したように、ＣＰＵ２２１は、原稿外消去部２３１に対する設定として、動作モードに応じてモノクロ化モジュール群１５１から変換モジュールを選択し、かつ、動作モードに応じた２値化閾値を２値化モジュール１５２に設定する。すなわち、動作モードがコピーモードである場合、ＣＰＵ２２１は、原稿外消去部２３１をコピーモード用に設定する。たとえば、ＣＰＵ２２１は、コピーモード用の設定として、モノクロ化モジュール群１５１から第１の変換モジュール１６１ａを選択し、コピーモード用の２値化閾値を２値化モジュール１５２に対して設定する。
【０１１７】
上記ＣＰＵ２２１によりコピーモード用に設定された原稿外消去部２３１は、上記ページメモリ２２５から読みと出した画像データ（コピー用画像処理部２３２ａが生成したプリント用の画像データ）から原稿外の領域を消去する（Ａｃｔ７０）。上記原稿外消去部２３１は、上述したように、プリント用の画像データをモノクロ化し、モノクロ化した画像データから原稿外の領域を検出し、検出した原稿外の領域を消去したプリント用の画像データを出力する。コピーモードの場合（Ａｃｔ７１、ＹＥＳ）、ＣＰＵ２２１は、原稿外消去部２３１により原稿外を消去した画像データを用紙にプリント（コピー）する（Ａｃｔ７２）。つまり、コピーモードの場合、第３の構成例の原稿外消去部２３１は、原稿外を消去した画像データを出力画像処理部２２６へ供給する。プリンタ２１２は、出力画像処理部２２６により処理された原稿外が消去されている画像データをプリントする。
【０１１８】
当該デジタル複合機２０１の動作モードがネットワークスキャンモードである場合（Ａｃｔ７３、ＹＥＳ）、ＣＰＵ２２１は、スキャナ２１１が読み取った画像データをＮＷ用画像処理部２３２ｂへ供給する。上記ＮＷ用画像処理部（モジュール）２３２ｂは、スキャナ２１１から供給される画像データに対してネットワークスキャン用（ネットワーク転送用）の画像処理（たとえば、ユーザ指定に応じた解像度変換あるいは画像圧縮など）を行う（Ａｃｔ７４）。この結果として、上記ＮＷ用画像処理部２３２ｂは、スキャナ２１１が読み取った画像データ（スキャン画像）からネットワークスキャン用の画像データを生成する。
【０１１９】
上記ページメモリ２２５は、上記ＮＷ用画像処理部２３２ｂによりスキャン画像から生成されたネットワークスキャン用の画像データを、一旦、読取画像処理部２２４の処理結果として保存する（Ａｃｔ６６）。つまり、ネットワークスキャンモードでは、上記ページメモリ２２５は、原稿外の領域が消去される前のネットワークスキャン用の画像データを保存する。
【０１２０】
一方、ＣＰＵ２２１は、上述したように、原稿外消去処理を実行するか否かを判断する（Ａｃｔ６７及び６８）。ネットワークスキャンモードで、原稿外消去処理を実行すると判断した場合、ＣＰＵ２２１は、ネットワークスキャンに対応して原稿外消去部１３３を設定する（Ａｃｔ６９）。たとえば、ＣＰＵ２２１は、ネットワークスキャンの設定として、モノクロ化モジュール群１５１から第２の変換モジュール１６１ｂを選択し、ネットワークスキャンモード用の２値化閾値を２値化モジュール１５２に設定する。ネットワークスキャン用に設定された原稿外消去部２３１は、上記ページメモリ２２５から読み出した画像データ（ＮＷ用画像処理部２３２ｂが生成したネットワークスキャン用の画像データ）から原稿外の領域を消去する（Ａｃｔ７０）。
【０１２１】
また、ネットワークスキャンモードである場合（Ａｃｔ７５、ＹＥＳ）、ＣＰＵ１２１は、原稿外消去部２３１により原稿外を消去した画像データ（原稿外を消去したスキャン結果としての画像データ）をユーザが指定する保存先に転送あるいは保存する（Ａｃｔ７６）。たとえば、ネットワーク上の外部機器としてのユーザ端末に画像データを保存する場合、ネットワークインターフェース２１４は、原稿外消去部２３１から出力される画像データを当該ユーザ端末へ転送する。
【０１２２】
当該デジタル複合機２０１の動作モードがファクシミリモードである場合（Ａｃｔ７７、ＹＥＳ）、ＣＰＵ２２１は、スキャナ２１１が読み取った画像データをＦＡＸ用画像処理部２３２ｃへ供給する。上記ＦＡＸ用画像処理部（モジュール）２３２ｃは、スキャナ２１１から供給される画像データに対してファクシミリ用（ファクシミリ送信用）の画像処理（たとえば、モノクロ変換など）を行う（Ａｃｔ７８）。この結果として、上記ＦＡＸ用画像処理部２３２ｃは、スキャナ２１１が読み取った画像データからファクシミリ用の画像データを生成する。
【０１２３】
上記ページメモリ２２５は、上記ＦＡＸ用画像処理部２３２ｃによりスキャン画像から生成したファクシミリ用の画像データを、一旦、読取画像処理部２２４の処理結果として保存する（Ａｃｔ６６）。つまり、ファクシミリモードでは、上記ページメモリ２２５は、原稿外の領域が消去される前のファクシミリ用の画像データを保存する。
【０１２４】
一方、ＣＰＵ２２１は、上述したように、原稿外消去処理を実行するか否かを判断する（Ａｃｔ６７及び６８）。ファクシミリモードで、原稿外消去処理を実行すると判断した場合、ＣＰＵ２２１は、ファクシミリモードに対応して原稿外消去部２３１を設定する（Ａｃｔ６９）。たとえば、ＣＰＵ２２１は、ファクシミリ用の設定として、ファクシミリモード用の設定として、モノクロ化モジュール群１５１の各変換モジュールを省略し、ファクシミリモード用の２値化閾値を２値化モジュール１５２に設定する。ファクシミリモード用に設定された原稿外消去部２３１は、上記ページメモリ２２５から読み出した画像データ（ＦＡＸ用画像処理部２３２ｃが生成したファクシミリ用の画像データ）から原稿外の領域を消去する（Ａｃｔ７０）。
【０１２５】
また、ファクシミリモードである場合（Ａｃｔ７９、ＹＥＳ）、ＣＰＵ２２１は、原稿外消去部２３１により原稿外を消去した画像データ（原稿外を消去したファクシミリ送信用の画像データ）をユーザが指定する電話番号へファクシミリ送信する（Ａｃｔ８０）。
【０１２６】
上記のように、第３の構成例のデジタル複合機では、スキャナにより読み取った画像データを各種の動作モードに対応する画像処理部で処理してページメモリに保存し、ページメモリに保存した画像データを読み出す場合に動作モードに応じて設定した原稿外消去部により当該画像データから原稿外の領域を消去する。ただし、上記原稿外消去部は、どの動作モードであっても原稿外として消去する領域が同じとなるように動作モード（ページメモリに保存する前に実施した画像処理の内容）に応じて設定される。この結果として、第３の構成例のデジタル複合機では、動作モードによって原稿外消去処理の結果にばらつきが生じないようにできる。すなわち、第３の構成例のデジタル複合機では、どのような動作モードであっても、入力された画像データに対して同等な原稿外消去処理を行うことができる。また、第３の構成例のデジタル複合機は、ページメモリから読み出した画像データに対して原稿外消去を行うため、スキャナ以外から供給される画像データに対しても容易に上記のような原稿外消去処理を実施できる。
【０１２７】
次に、原稿外の領域を判定する強度の設定について説明する。  
ここでは、ユーザの操作に基づいて原稿外の領域を判定する強度（以下、調整レベルととも称する）を設定する処理手順について説明する。なお、以下に説明する調整レベルの設定は、上述した第１、第２及び第３の各構成例のデジタル複合機に適用可能である。  
上述したように、第１、第２及び第３の構成例のデジタル複合機では、１つの調整レベルが設定され、各種の動作モードで同様な原稿外消去処理の結果(同様な領域が原稿外として消去された画像データ)が得られるように構成されている。これは、ユーザが指定する調整レベルが、各動作モードに共通であることを意味している。言い換えると、ユーザは、各動作モードごとに調整レベルを指定することなく、各動作モードに共通な１つの調整レベルを指定する。
【０１２８】
図１６は、操作部１５、１１５、２１５としての操作パネルＰの全体構成を説明するための外観図である。  
図１６に示すように、操作パネルＰは、表示部Ｐ１、機能選択キーＰ２、設定キーＰ３、スタートキーＰ４、リセットキーＰ５、ストップキーＰ６、および、テンキーＰ７などを有している。  
上記表示部Ｐ１は、タッチパネル内蔵の液晶表示装置などにより構成される。上記表示部Ｐ１は、ユーザに対する操作案内を表示したり、タッチパネルにより操作可能なアイコンなどからなる種々の操作画面を表示したりする。たとえば、当該デジタル複合機の待機状態において、上記表示部Ｐ１は、図１６に示すような基本メニュー画面を表示する。図１６に示す基本メニュー画面は、コピーモードにおける基本メニュー画面である。
【０１２９】
また、上記表示部Ｐ１は、画像データを表示する機能も有している。たとえば、上記表示部Ｐ１は、ユーザが画像を確認するためのプレビュー画像を表示することが可能である。たとえば、上記表示部Ｐ１は、プレビュー画像として、当該デジタル複合機のスキャナにより読み取った画像データ（スキャン画像）、あるいは、画像処理を施した後の画像を表示することが可能である。
【０１３０】
上記機能選択キーＰ２は、種々の機能を選択するためのハードキーである。上記機能選択キーP２としては、たとえば、動作モードとしてスキャンモードを選択するためのスキャンモード選択、コピーモードを選択するためのコピーモード選択キー、ファクシミリモードを選択するためのファクシミリモード選択キーなどが設けられている。
【０１３１】
上記設定キーＰ３は、当該デジタル複合機における種々の設定を行うためのキーである。上記設定キーＰ３が入力されると、設定処理モードへ移行する。上記設定キーＰ３により設定する各項目は、主として、デフォルト設定値に関するものである。すなわち、上記設定キーＰ３を入力後に設定された内容は、デフォルト設定値として保存され、当該デジタル複合機における各処理に反映される。たとえば、原稿外の領域を判定する強度（調整レベル）のデフォルト値は、上記設定キーＰ３が入力された場合に表示部Ｐ１に表示される設定画面において設定される。
【０１３２】
上記スタートキーＰ４は、処理の開始（たとえば、スキャン開始）を指示するためのハードキーである。たとえば、コピーモードでは、上記スタートキーＰ４への入力に応じてコピー処理（スキャン処理）が開始される。上記リセットキーＰ５は、設定内容などのリセットを指示するためのハードキーである。たとえば、上記表示部Ｐ１のタッチパネルにより入力した設定などが上記リセットキーに応じてリセットされる。上記ストップキーＰ６は、当該デジタル複合機が実行中の動作の中断を指示するためのハードキーである。たとえば、当該デジタル複合機がコピー動作中に上記ストップキーＰ６が指示されると、コピー動作が中断されるようになっている。上記テンキーＰ７は、数字などを入力するためのハードキーである。上記テンキーＰ７は、たとえば、コピー枚数、部門コードなどの情報を入力するために用いられる。
【０１３３】
また、図１６に示す操作パネルＰには、上述した各種のキーの他に、ユーザガイドの表示を指示するヘルプ（ＨＥＬＰ）キー、設定あるいは登録の実行を指示するための設定／登録キー、予め登録されているデータとしてのテンプレートを選択するためのテンプレートキー、動作の割り込みを要求するための割り込みキー、当該デジタル複合機の状態を確認するための状況確認キー、セキュリティ設定などを行うための鍵キー、消費電力を削減する節電動作モードと通常動作モードとを切替えるための節電キー、電話機能としてオンフック状態とするためのオンフック／ポーズキー、上記テンキーなどにより入力された数字などをクリアするためのクリアキー、当該デジタル複合機内の異常を報知するためのアラーム表示器などが設けられている。
【０１３４】
次に、操作パネルＰを用いた調整レベルの設定について説明する。  
上記操作パネルＰにおいて設定キーＰ３が入力された場合、表示部Ｐ１は、各種機能のデフォルト値を設定するためのデフォルト設定画面を表示する。このデフォルト設定画面は、ユーザ毎に設定されるデフォルト値を設定するものであっても良いし、全ユーザ共通で設定されるものであっても良い。何れの場合であっても、原稿外を判定する強度（調整レベル）は、各種の動作モードごとに設定されるものではなく、各種の動作モードに共通な値として設定されるものである。
【０１３５】
また、第１、第２及び第３の各構成例のデジタル複合機では、どの動作モードであっても、同じような原稿外領域を消去した画像データが原稿外消去処理の結果として得られる。言い換えれば、原稿外領域を判定する強度（調整レベル）のデフォルト値を設定する場合、ユーザは、デジタル複合機に対して１つの調整レベルを設定する。このため、原稿外領域を判定する強度に関するデフォルト設定は、各動作モードの設定画面（たとえば、各機能選択キーＰ２から移行する設定画面）でユーザが指示するものではなく、設定キーＰ３から移行する設定画面でユーザが指示するように構成されている。
【０１３６】
たとえば、上記設定キーＰ３への入力に応じて表示されるデフォルト設定画面には、原稿外消去処理に関するデフォルト設定のためのアイコンが含まれる。この原稿外消去設定のアイコンが選択されると、上記表示部Ｐ１は、原稿外の領域を判定する強度としての調整レベルをユーザが指定するための設定画面（調整レベルの設定画面）を表示する。
【０１３７】
図１７および図１８は、調整レベルの設定画面の表示例である。
【０１３８】
図１７に示す表示例は、原稿外の領域と判定する強度をユーザが指定する設定画面を表示部Ｐ１に表示した例である。図１７に示す設定画面において、ユーザは、原稿外の判定強度（調整レベル）として、所定の基準レベル（「０」）よりも５段階の強いレベル（「＋１」〜「＋５」）と基準レベルよりも５段階の弱いレベル（「−１」〜「−５」）とから所望の調整レベルを指定できる。また、図１７に示す設定画面において左端側に配置されたアイコンＫ１を１度タッチするごとに、調整レベルは、１段階づつ弱いレベルに変更される。また、図１７に示す設定画面において右端側に配置したアイコンＫ２が１度タッチされるごとに、調整レベルは、１段階づつ強いレベルに変更される。すなわち、ユーザは、両端に配置されたアイコンＫ１、Ｋ２をタッチする回数によって、調整レベルを視覚的及び感覚的に簡単に調整できる。
【０１３９】
また、図１８に示す表示例は、画面の下側の領域に図１７に示すような原稿外判定レベルの設定画面を表示するとともに、画面の上側の領域に画像データのプレビュー画面を表示部Ｐ１に表示した例である。図１８に示す表示例では、プレビュー画面において原稿外の領域を消去する前の画像データと原稿外の領域を消去した後の画像データとが表示される。ただし、図１８に示す表示例は、プレビュー画面において表示する画像データは、予めＨＤＤ等に保存されている画像データであっても良いし、ユーザがセットした原稿をスキャナで読み取った画像データであっても良い。また、図１８に示す表示例は、原稿外消去のデフォルト設定を調整するための設定画面であるため、プレビュー画面では、原稿外として消去される領域を強調して表示するようにしても良い。
【０１４０】
また、図１８に示す表示例において調整レベルが変更されるごとに、原稿外消去部３１、１３３、２３１は、変更された調整レベルで原稿外消去処理を行う。このような原稿外消去処理により得られた画像データは、ユーザが指定した調整レベルで原稿外消去処理した画像としてプレビュー画面に表示される。すなわち、図１８に示す表示例では、ユーザが調整レベルを変更するごとに、変更された調整レベルで原稿外消去処理した結果としての画像が表示される。上記のようなプレビュー画面によれば、ユーザは、指定した調整レベルで実施される処理によって消去される領域の状態を視覚的かつ具体的に認識できる。
【０１４１】
また、上記のような第１、第２、第３の構成例のデジタル複合機では、デフォルト設定時に限らず、原稿外消去処理を含む処理を実行する場合に、プレビュー画面を表示部Ｐ１に表示するようにしても良い。このようなプレビュー画面を表示するか否かは、ユーザが選択する。
【０１４２】
たとえば、プレビュー画面で原稿外消去処理の状態を確認したいユーザは、各種の処理を実行する場合に、操作パネルＰに設けられプレビューボタンをオンする。上記プレビューボタンがオン状態となっている場合、操作パネルＰの表示部Ｐ１は、原稿外消去処理後の画像データを実際に処理する前に、プレビュー画面として表示する。たとえば、コピーモードでプレビューボタンがオンとなっている場合、表示部Ｐ１は、プリント処理を実行する前に、原稿外消去処理後の画像データをプレビュー画面に表示する。このようなプレビュー画面に表示された画像が満足するものであった場合、ユーザは、図示しない実行開始キーを入力することにより処理の実行を指示する。また、プレビュー画面に表示された画像が満足するものでなかった場合、ユーザは、図示しない処理中止キーを入力することにより当該画像による処理を中止する。この場合、デジタル複合機は、原稿の再スキャンを行うようにしても良い。
【０１４３】
また、上記のようなプレビュー画面を有効とするか否かは、原稿外消去処理に関するデフォルトとして設定しておくようにしても良い。これは、上述したような原稿外消去処理に対する設定画面において、処理実行時のプレビュー確認の有無をユーザが指定するようにすれば良い。デフォルト設定でプレビュー確認が有効と設定されている場合、原稿外消去処理を含む処理において、上記表示部Ｐ１は、原稿外消去処理後の画像データを用いた処理（たとえば、プリント処理）前に、原稿外消去処理後の画像データをプレビュー画面として表示する。この結果として、ユーザは、入力画像を用いた各種の処理を実行する前に、原稿外消去処理により得られる画像データを確認できる。
【符号の説明】
【０１４４】
１、１０１、２０１…デジタル複合機、１０、１１０、２１０…主制御部、１１、１１１、２１１…スキャナ、１１ａ…ガラス台、１１ｂ…原稿カバー、１１ｃ…開閉検知器、１２、１１２、２１２…プリンタ、１３、１１３、２１３…ファクシミリ通信部、１４、１１４、２１４…ネットワーク通信部、１５、１１５、２１５…操作部、２１、１２１、２２１…ＣＰＵ、２４、１２４、２２４…画像読取処理部、２５、１２５、２２５…ページメモリ、２６、１２６、２２６…出力画像処理部、３１、１３３、２３１…原稿外消去部、３２ａ、１３２ａ、２３２ａ…コピー用画像処理部（モジュール）、３２ｂ、１３２ｂ、２３２ｂ…ＮＷ用画像処理部（モジュール）、３２ｃ、１３２ｃ、２３２ｃ…ＦＡＸ用画像処理部（モジュール）、４１、１４１…モノクロ変換部、４２、１４２…原稿外検出部、４３、１４３…消去部、５１、１５１…モノクロ化モジュール、５２、１５２…２値化モジュール、５３…原稿外判定モジュール、５４…補正モジュール、５５…原稿外消去モジュール、１６１ａ…第１の変換モジュール、１６１ｂ…第２の変換モジュール。
【図１】
2009207148.tif 000003
【図２】
2009207148.tif 000004
【図３】
2009207148.tif 000005
【図４】
2009207148.tif 000006
【図５】
2009207148.tif 000007
【図６】
2009207148.tif 000008
【図７】
2009207148.tif 000009
【図８】
2009207148.tif 000010
【図９】
2009207148.tif 000011
【図１０】
2009207148.tif 000012
【図１１】
2009207148.tif 000013
【図１２】
2009207148.tif 000014
【図１３】
2009207148.tif 000015
【図１４】
2009207148.tif 000016
【図１５】
2009207148.tif 000017
【図１６】
2009207148.tif 000018
【図１７】
2009207148.tif 000019
【図１８】
2009207148.tif 000020